(57)【要約】【課題】背景の視認性及び表示品位を向上する。【解決手段】第１領域及び前記第１領域を囲む第２領域を有する表示領域と前記第１領域に位置する第１画素電極と前記第２領域に位置する第２画素電極と前記表示領域に位置する共通電極と前記表示領域に位置する高分子分散液晶を含む液晶層とを備えた表示パネルと、前記表示パネルに第１色の光を照射する第１光源と前記表示パネルに前記第１色とは異なる第２色の光を照射する第２光源とを備えた光源ユニットと、前記表示パネル及び前記光源ユニットをそれぞれ制御するコントローラと、を備え、前記コントローラは前記共通電極と前記第１画素電極との間及び前記共通電極と前記第２画素電極との間にそれぞれ散乱電圧を印加するとともに前記光源ユニットを制御し、前記液晶層は前記第１領域において第１表示色の光を散乱し前記第２領域において前記第１表示色とは異なる第２表示色の光を散乱する、表示装置。【選択図】    図３
2018120022.tif 000002
【特許請求の範囲】
【請求項１】
第１領域及び前記第１領域を囲む第２領域を有する表示領域と、前記第１領域に位置する第１画素電極と、前記第２領域に位置する第２画素電極と、前記表示領域に位置する共通電極と、前記表示領域に位置する高分子分散液晶を含む液晶層と、を備えた表示パネルと、
前記表示パネルに第１色の光を照射する第１光源と、前記表示パネルに前記第１色とは異なる第２色の光を照射する第２光源と、を備えた光源ユニットと、
前記表示パネル及び前記光源ユニットをそれぞれ制御するコントローラと、を備え、
前記コントローラは、前記共通電極と前記第１画素電極との間及び前記共通電極と前記第２画素電極との間にそれぞれ散乱電圧を印加するとともに、前記光源ユニットを制御し、
前記液晶層は、前記第１領域において第１表示色の光を散乱し、前記第２領域において前記第１表示色とは異なる第２表示色の光を散乱する、表示装置。
【請求項２】
前記第１表示色及び前記第２表示色は、前記第１色、前記第２色、及び、前記第１色及び前記第２色を組み合わせた第３色のいずれかである、請求項１に記載の表示装置。
【請求項３】
前記コントローラは、前記第１表示色及び前記第２表示色の組み合わせを示す第１テーブルを格納している、請求項１または２に記載の表示装置。
【請求項４】
前記コントローラは、画像データに基づいて前記第１領域に表示するキャラクタの第１表示色を判定し、前記第１テーブルを参照して、前記第１表示色及び前記第２表示色を決定する、請求項３に記載の表示装置。
【請求項５】
前記表示領域は、前記第２領域に隣接する第３領域を有し、
前記表示パネルは、前記第３領域に位置する第３画素電極を備え、
前記コントローラは、前記共通電極と前記第３画素電極との間に前記散乱電圧とは異なる透明電圧を印加し、
前記液晶層は、前記第３領域において透明である、請求項１乃至４のいずれか１項に記載の表示装置。
【請求項６】
前記第１画素電極及び前記第２画素電極は第１画素ライン上に位置し、前記第３画素電極は前記第１画素ラインとは異なる第２画素ライン上に位置している、請求項５に記載の表示装置。
【請求項７】
前記表示領域は、前記第２領域に隣接する第４領域を有し、
前記第２領域及び前記第４領域は第１方向に並び、前記第２領域及び前記第３領域は前記第１方向と交差する第２方向に並び、
前記表示パネルは、前記第４領域に位置する第４画素電極を備え、
前記コントローラは、前記共通電極と前記第４画素電極との間に前記透明電圧を印加し、
前記液晶層は、前記第４領域において透明である、請求項５または６に記載の表示装置。
【請求項８】
前記第１画素電極、前記第２画素電極、及び、前記第４画素電極は、同一画素ライン上に位置している、請求項７に記載の表示装置。
【請求項９】
前記透明電圧は、第１透明電圧と、前記第１透明電圧より小さい第２透明電圧とを含み、
前記コントローラは、前記共通電極と前記第３画素電極との間に前記第２透明電圧を印加し、前記共通電極と前記第４画素電極との間に前記第１透明電圧を印加する、請求項８に記載の表示装置。
【請求項１０】
前記第２領域は、第１部分、前記第１部分に隣接する第２部分、及び、前記第２部分に隣接する第３部分を有し、
前記第１領域及び前記第２部分は、第１方向に並び、
前記第１部分、前記第２部分、及び、前記第３部分は、前記第１方向と交差する第２方向にこの順に並び、
前記コントローラは、前記第１領域及び前記第２部分に含まれる第１画素ライン数と、前記第１部分に含まれる第２画素ライン数と、前記第３部分に含まれる第３画素ライン数との組み合わせを示すテーブルを格納している、請求項１乃至９のいずれか１項に記載の表示装置。
【請求項１１】
前記コントローラは、画像データに基づいて前記第１領域に表示するキャラクタのサイズを判定し、前記テーブルを参照して、前記第１画素ライン数、前記第２画素ライン数、及び、前記第３画素ライン数を決定する、請求項１０に記載の表示装置。
【請求項１２】
１フレーム期間は、第１期間と、第２期間と、を有し、
前記コントローラは、
前記第１期間において、前記共通電極と前記第１画素電極との間及び前記共通電極と前記第２画素電極との間にそれぞれ前記透明電圧を印加し、
前記第２期間において、前記共通電極と前記第１画素電極との間及び前記共通電極と前記第２画素電極との間にそれぞれ散乱電圧を印加する、請求項１乃至１１のいずれか１項に記載の表示装置。
【請求項１３】
前記コントローラは、前記第１期間において前記第１光源及び前記第２光源を消灯し、前記第２期間において前記第１光源及び前記第２光源の少なくとも一方を点灯する、請求項１２に記載の表示装置。
【請求項１４】
前記第２期間は、前記第１光源が点灯する第１サブフレーム期間と、前記第２光源が点灯する第２サブフレーム期間と、を有する、請求項１３に記載の表示装置。
【請求項１５】
前記第１表示色は、前記第２表示色の補色である、請求項１乃至１４のいずれか１項に記載の表示装置。
【発明の詳細な説明】
【技術分野】
【０００１】
本発明の実施形態は、表示装置に関する。
【背景技術】
【０００２】
近年、入射した光を拡散する拡散状態と入射した光を透過させる透過状態とを切り替え可能な高分子分散液晶（Polymer Dispersed Liquid Crystal：以下、『ＰＤＬＣ』と称する場合がある）パネルを含み、画像を表示するとともに背景を透かして視認することが可能な表示装置が提案されている。このような表示装置においては、１フレーム期間が複数のサブフレーム期間を有し、サブフレーム期間毎に表示色を切り替えながら画像を表示することで多色表示が実現される。
【先行技術文献】
【特許文献】
【０００３】
【特許文献１】国際公開第２０１４／０１７３４４号
【発明の概要】
【発明が解決しようとする課題】
【０００４】
本実施形態の目的は、背景の視認性及び表示品位を向上することが可能な表示装置を提供することにある。
【課題を解決するための手段】
【０００５】
一実施形態によれば、  
第１領域及び前記第１領域を囲む第２領域を有する表示領域と、前記第１領域に位置する第１画素電極と、前記第２領域に位置する第２画素電極と、前記表示領域に位置する共通電極と、前記表示領域に位置する高分子分散液晶を含む液晶層と、を備えた表示パネルと、前記表示パネルに第１色の光を照射する第１光源と、前記表示パネルに前記第１色とは異なる第２色の光を照射する第２光源と、を備えた光源ユニットと、前記表示パネル及び前記光源ユニットをそれぞれ制御するコントローラと、を備え、前記コントローラは、前記共通電極と前記第１画素電極との間及び前記共通電極と前記第２画素電極との間にそれぞれ散乱電圧を印加するとともに、前記光源ユニットを制御し、前記液晶層は、前記第１領域において第１表示色の光を散乱し、前記第２領域において前記第１表示色とは異なる第２表示色の光を散乱する、表示装置が提供される。
【図面の簡単な説明】
【０００６】
【図１】図１は、第１実施形態における表示装置の構成例を示す平面図である。
【図２】図２は、図１に示した表示装置の断面図である。
【図３】図３は、図１に示した表示装置の主要な構成要素を示す図である。
【図４Ａ】図４Ａは、透明状態の液晶層を模式的に示す図である。
【図４Ｂ】図４Ｂは、散乱状態の液晶層を模式的に示す図である。
【図５Ａ】図５Ａは、液晶層が透明状態である場合の表示パネルを示す断面図である。
【図５Ｂ】図５Ｂは、液晶層が散乱状態である場合の表示パネルを示す断面図である。
【図６】図６は、液晶層の散乱特性を示すグラフである。
【図７Ａ】図７Ａは、１ライン反転駆動の概要を表す図である。
【図７Ｂ】図７Ｂは、２ライン反転駆動の概要を表す図である。
【図７Ｃ】図７Ｃは、フレーム反転駆動の概要を表す図である。
【図８】図８は、表示走査におけるコモン電圧と信号線電圧の一例を示す図である。
【図９】図９は、透明走査におけるコモン電圧と信号線電圧の一例を示す図である。
【図１０】図１０は、透明走査におけるコモン電圧と信号線電圧の他の例を示す図である。
【図１１】図１１は、図３に示したタイミングコントローラの一構成例を示す図である。
【図１２】図１２は、対象領域内にキャラクタを表示している状態を示す表示装置ＤＳＰの平面図である。
【図１３】図１３は、図１２に示した対象領域ＯＡを説明するための図である。
【図１４】図１４は、図１２の線ＸＩＩＩ−ＸＩＩＩに沿った表示パネルの断面図である。
【図１５Ａ】図１５Ａは、第１テーブルＴＢ１の一例を示す図である。
【図１５Ｂ】図１５Ｂは、ＨＳＶ色空間の色相（Ｈ）と彩度（Ｓ）との関係を示す概念図である。
【図１６】図１６は、第２テーブルＴＢ２の一例を示す図である。
【図１７】図１７は、表示動作の一例を示すタイミングチャートである。
【図１８】図１８は、表示動作の他の例を示すタイミングチャートである。
【図１９】図１９は、表示動作の他の例を示すタイミングチャートである。
【図２０】図２０は、本実施形態の処理の一例を示すフローチャートである。
【図２１Ａ】図２１Ａは、第１駆動例を示すタイミングチャートである。
【図２１Ｂ】図２１Ｂは、第２駆動例を示すタイミングチャートである。
【図２１Ｃ】図２１Ｃは、第３駆動例を示すタイミングチャートである。
【図２２】図２２は、変形例を示す表示装置ＤＳＰの平面図である。
【図２３】図２３は、図２２に示した対象領域ＯＡを説明するための図である。
【図２４】図２４は、図２２に示した表示パネルの断面図である。
【図２５】図２５は、第３テーブルＴＢ３の一例を示す図である。
【図２６】図２６は、他の対象領域ＯＡを説明するための図である。
【図２７】図２７は、第２実施形態に係る表示装置の主要な構成要素を示す図である。
【図２８】図２８は、Ｖｃｏｍ引き込み回路の一構成例を示す図である。
【発明を実施するための形態】
【０００７】
以下、いくつかの実施形態について、図面を参照しながら説明する。なお、開示はあくまで一例に過ぎず、当業者において、発明の主旨を保っての適宜変更について容易に想到し得るものについては、当然に本発明の範囲に含有されるものである。また、図面は、説明をより明確にするため、実際の態様に比べて、各部の幅、厚さ、形状等について模式的に表される場合があるが、あくまで一例であって、本発明の解釈を限定するものではない。また、本明細書と各図において、既出の図に関して前述したものと同一又は類似した機能を発揮する構成要素には同一の参照符号を付し、重複する詳細な説明を適宜省略することがある。
【０００８】
各実施形態においては、表示装置の一例として、高分子分散型液晶を適用した表示装置について説明する。各実施形態の表示装置は、例えば、スマートフォン、タブレット端末、携帯電話端末等の種々の装置に用いることができる。
【０００９】
［第１実施形態］  
図１は、本実施形態における表示装置ＤＳＰの構成例を示す平面図である。図中において、第１方向Ｘ及び第２方向Ｙは互いに交差する方向であり、第３方向Ｚは第１方向Ｘ及び第２方向Ｙと交差する方向である。一例では、第１方向Ｘ、第２方向Ｙ、及び、第３方向Ｚは、互いに直交しているが、互いに９０度以外の角度で交差していても良い。本明細書において、第３方向Ｚを示す矢印の先端に向かう方向を上方（あるいは、単に上）と称し、矢印の先端から逆に向かう方向を下方（あるいは、単に下）と称する。
【００１０】
表示装置ＤＳＰは、表示パネルＰＮＬ、配線基板Ｆ１乃至Ｆ５などを備えている。表示パネルＰＮＬは、画像を表示する表示領域ＤＡ、及び、表示領域ＤＡを囲む額縁状の非表示領域ＮＤＡを備えている。表示領域ＤＡは、ｎ本の走査線Ｇ（Ｇ１〜Ｇｎ）、ｍ本の信号線Ｓ（Ｓ１〜Ｓｍ）などを備えている。なお、ｎ及びｍはいずれも正の整数であり、ｎがｍと等しくても良いし、ｎがｍとは異なっていても良い。複数の走査線Ｇは、それぞれ第１方向Ｘに延出し、第２方向Ｙに間隔をおいて並んでいる。複数の信号線Ｓは、それぞれ第２方向Ｙに延出し、第１方向Ｘに間隔をおいて並んでいる。
【００１１】
表示パネルＰＮＬは、第１方向Ｘに沿って延出した端部Ｅ１及びＥ２と、第２方向Ｙに沿って延出した端部Ｅ３及びＥ４とを有している。非表示領域ＮＤＡの幅について、端部Ｅ１と表示領域ＤＡとの第２方向Ｙに沿った幅Ｗ１は、端部Ｅ２と表示領域ＤＡとの第２方向Ｙに沿った幅Ｗ２より小さい。また、端部Ｅ３と表示領域ＤＡとの第１方向Ｘに沿った幅Ｗ３は、端部Ｅ４と表示領域ＤＡとの第１方向Ｘに沿った幅Ｗ４と同等である。また、幅Ｗ３及びＷ４の各々は、幅Ｗ２より小さい。また、幅Ｗ３及びＷ４の各々は、幅Ｗ１と同等であっても良いし、幅Ｗ１とは異なっていても良い。
【００１２】
配線基板Ｆ１乃至Ｆ３は、この順に第１方向Ｘに並んでいる。配線基板Ｆ１は、ゲードドライバＧＤ１を備えている。配線基板Ｆ２は、ソースドライバＳＤを備えている。配線基板Ｆ３は、ゲードドライバＧＤ２を備えている。配線基板Ｆ１乃至Ｆ３は、それぞれ表示パネルＰＮＬ及び配線基板Ｆ４に接続されている。配線基板Ｆ５は、タイミングコントローラＴＣや電源回路ＰＣなどを備えている。配線基板Ｆ４は、配線基板Ｆ５のコネクタＣＴに接続されている。なお、配線基板Ｆ１乃至Ｆ３は、単一の配線基板に置換されても良い。また、配線基板Ｆ１乃至Ｆ４は、単一の配線基板に置換されても良い。  
図示した例では、端部Ｅ１の側から奇数番目の走査線ＧがゲートドライバＧＤ２に接続され、偶数番目の走査線ＧがゲートドライバＧＤ１に接続されているが、ゲードドライバＧＤ１及びＧＤ２と各走査線Ｇとの接続関係は図示した例に限らない。
【００１３】
図２は、図１に示した表示装置ＤＳＰの断面図である。ここでは、第２方向Ｙ及び第３方向Ｚによって規定されるＹ−Ｚ平面における表示装置ＤＳＰの断面において、主要部のみを説明する。
【００１４】
表示パネルＰＮＬは、第１基板ＳＵＢ１、第２基板ＳＵＢ２、表示機能層としての液晶層３０などを備えている。第１基板ＳＵＢ１は、透明基板１０、画素電極１１、配向膜１２などを備えている。第２基板ＳＵＢ２は、透明基板２０、共通電極２１、配向膜２２などを備えている。画素電極１１及び共通電極２１は、例えばインジウム錫酸化物（ＩＴＯ）やインジウム亜鉛酸化物（ＩＺＯ）などの透明導電材料によって形成されている。液晶層３０は、少なくとも表示領域ＤＡに位置している。液晶層３０は、高分子分散液晶を含み、配向膜１２と配向膜２２との間に位置している。本実施形態の液晶層３０は、リバース型ポリマーディスパーズド液晶（R-PDLC：reverse mode polymer dispersed liquid crystal）を利用している。上記の液晶層３０は、印加される電圧が所定の電圧よりも低い場合に入射される光の平行度を維持し、印加される電圧が所定の電圧よりも高い場合に入射される光を散乱させる。第１基板ＳＵＢ１及び第２基板ＳＵＢ２は、シール４０によって接着されている。第１基板ＳＵＢ１は、透明基板２０の端部Ｅ５よりも第２方向Ｙに延出した延出部ＥＸを有している。  
配線基板Ｆ１乃至Ｆ３は、第１基板ＳＵＢ１の延出部ＥＸに接続されている。  
光源ユニットＬＵは、光源としての発光素子ＬＳ、配線基板Ｆ６などを備えている。発光素子ＬＳは、表示パネルＰＮＬあるいは液晶層３０に向けて発光する。配線基板Ｆ６に接続され、延出部ＥＸの上に位置している。発光素子ＬＳは、端部Ｅ５と対向する発光部ＥＭを有している。発光部ＥＭから出射された照明光は、後述するように、端部Ｅ５から入射し、表示パネルＰＮＬを伝播する。
【００１５】
図３は、図１に示した表示装置ＤＳＰの主要な構成要素を示す図である。  
表示装置ＤＳＰは、図中に点線で示すコントローラＣＮＴを備えている。コントローラＣＮＴは、タイミングコントローラＴＣ、ゲートドライバＧＤ１及びＧＤ２、ソースドライバＳＤ、Ｖｃｏｍ回路ＶＣ、光源ドライバＬＳＤなどを含む。  
タイミングコントローラＴＣは、外部から入力された画像データや同期信号などに基づいて各種信号を生成する。一例では、タイミングコントローラＴＣは、画像データに基づき、所定の信号処理を行って生成した映像信号をソースドライバＳＤに出力する。また、タイミングコントローラＴＣは、同期信号に基づいて生成した制御信号を、ゲートドライバＧＤ１及びＧＤ２、ソースドライバＳＤ、Ｖｃｏｍ回路ＶＣ、光源ドライバＬＳＤにそれぞれ出力する。タイミングコントローラＴＣの詳細については後述する。
【００１６】
図中に一点鎖線で示す表示領域ＤＡは、複数の画素ＰＸを備えている。各画素ＰＸは、スイッチング素子ＳＷ及び画素電極１１を備えている。スイッチング素子ＳＷは、走査線Ｇ及び信号線Ｓと電気的に接続されている。複数の画素電極１１は、表示領域ＤＡに位置し、マトリクス状に設けられている。１本の画素ラインＰＸＬは、第１方向Ｘに一列に並んだ画素ＰＸあるいは画素電極１１によって構成されている。一例では、１本の画素ラインＰＸＬを構成するすべての画素電極１１は、同一の走査線Ｇと電気的に接続されている。画素電極１１は、スイッチング素子ＳＷを介して信号線Ｓに接続されている。共通電極２１は、表示領域ＤＡに位置している。共通電極２１は、複数の画素電極１１と対向している。なお、共通電極２１は、少なくとも１つの画素ごとに区切られ、各々共通線に接続され共通の電位（コモン電圧）が印加される構成でもよい。走査線Ｇの各々には、ゲートドライバＧＤ１またはＧＤ２から走査信号が供給される。信号線Ｓの各々には、ソースドライバＳＤから映像信号が供給される。共通電極２１には、Ｖｃｏｍ回路ＶＣからコモン電圧が供給される。信号線Ｓに供給された映像信号は、走査線Ｇに供給された走査信号に基づいてスイッチング素子ＳＷが導通状態となった期間に、当該スイッチング素子ＳＷに接続された画素電極１１に印加される。以下の説明においては、画素電極１１に映像信号を印加して画素電極１１と共通電極２１との間に電位差を形成することを、当該画素電極１１を備える画素ＰＸに映像信号を書き込む（或いは電圧を印加する）と記載することがある。
【００１７】
光源ユニットＬＵは、少なくとも1つの発光素子ＬＳを備えている。例えば、光源ユニットＬＵは、第１色の光を出射する発光素子（第１発光素子）ＬＳＲと、第２色の光を出射する発光素子（第２発光素子）ＬＳＧと、第３色の光を出射する発光素子（第３発光素子）ＬＳＢと、を備えている。一例では、第１色は赤色であり、第２色は緑色であり、第３色は青色である。  
光源ドライバＬＳＤは、外部からの輝度設定情報、データ変換部からの映像信号、タイミングコントローラからの制御信号などに従い、これらの発光素子ＬＳＲ、ＬＳＧ、ＬＳＢの点灯期間を制御する。後に詳述するが、１フレーム期間が複数のサブフレーム（フィールド）期間を有する駆動方式においては、各サブフレームにおいて３つの発光素子ＬＳＲ、ＬＳＧ、ＬＳＢのうちの少なくとも１つが点灯し、サブフレーム毎に照明光の色が切り替えられる。
【００１８】
以下に、高分子分散液晶層である液晶層３０を備えた表示装置の一構成例について説明する。  
図４Ａは、透明状態の液晶層３０を模式的に示す図である。  
液晶層３０は、液晶性ポリマー３１及び液晶性分子３２を含んでいる。液晶性ポリマー３１は、例えば、液晶性モノマーが配向膜１２及び２２の配向規制力によって所定の方向に配向した状態で高分子化されることによって得られる。液晶性分子３２は、液晶性モノマー内に分散されており、液晶性モノマーが高分子化された際に、液晶性モノマーの配向方向に依存して所定の方向に配向される。なお、配向膜１２及び２２は、第１方向Ｘ及び第２方向Ｙによって規定されるＸ−Ｙ平面に沿って液晶性モノマー及び液晶性分子３２を配向させる水平配向膜であっても良いし、第３方向Ｚに沿って液晶性モノマー及び液晶性分子３２を配向させる垂直配向膜であっても良い。
【００１９】
液晶性分子３２は、正の誘電率異方性を有するポジ型であっても良いし、負の誘電率異方性を有するネガ型であっても良い。液晶性ポリマー３１及び液晶性分子３２は、それぞれ同等の光学異方性を有している。あるいは、液晶性ポリマー３１及び液晶性分子３２は、それぞれ略同等の屈折率異方性を有している。つまり、液晶性ポリマー３１及び液晶性分子３２の各々は、常光屈折率及び異常光屈折率が互いに略同等である。なお、常光屈折率及び異常光屈折率のいずれについても、液晶性ポリマー３１及び液晶性分子３２のそれぞれの値が完全に一致していなくても良く、製造誤差などに起因したずれは許容される。また、液晶性ポリマー３１及び液晶性分子３２の各々の電界に対する応答性は異なる。すなわち、液晶性ポリマー３１の電界に対する応答性は、液晶性分子３２の電界に対する応答性より低い。
【００２０】
図４Ａに示した例は、例えば、液晶層３０に電圧が印加されていない状態（画素電極１１と共通電極２１との間の電位差がゼロである状態）、あるいは、液晶層３０に後述する透明電圧が印加された状態に相当する。
【００２１】
図４Ａに示したように、液晶性ポリマー３１の光軸Ａｘ１及び液晶性分子３２の光軸Ａｘ２は、互いに平行となる。図示した例では、光軸Ａｘ１及び光軸Ａｘ２は、いずれも第３方向Ｚに平行である。ここでの光軸とは、偏光方向によらず屈折率が１つの値になるような光線の進行方向と平行な線に相当する。
【００２２】
上記の通り、液晶性ポリマー３１及び液晶性分子３２は略同等の屈折率異方性を有しており、しかも、光軸Ａｘ１及びＡｘ２は互いに平行であるため、第１方向Ｘ、第２方向Ｙ、及び、第３方向Ｚを含むあらゆる方向において、液晶性ポリマー３１と液晶性分子３２との間にほとんど屈折率差がない。このため、第３方向Ｚに沿って液晶層３０に入射した光Ｌ１は、液晶層３０内でほとんど散乱されることなく透過する。液晶層３０は、光Ｌ１の平行度を維持することができる。同様に、第３方向Ｚに対して傾斜した斜め方向に入射した光Ｌ２及びＬ３についても、液晶層３０内でほとんど散乱されることはない。このため、高い透明性が得られる。図４Ａに示した状態を『透明状態』と称する。
【００２３】
図４Ｂは、散乱状態の液晶層３０を模式的に示す図である。  
上記の通り、液晶性ポリマー３１の電界に対する応答性は、液晶性分子３２の電界に対する応答性より低い。このため、液晶層３０に上記の透明電圧より高い電圧（後述の散乱電圧）が印加された状態では、液晶性ポリマー３１の配向方向がほとんど変化しないのに対して、液晶性分子３２の配向方向は電界に応じて変化する。つまり、図示したように、光軸Ａｘ１は第３方向Ｚとほとんど平行であるのに対して、光軸Ａｘ２は第３方向Ｚに対して傾斜している。このため、光軸Ａｘ１及びＡｘ２は、互いに交差する。したがって、第１方向Ｘ、第２方向Ｙ、及び、第３方向Ｚを含むあらゆる方向において、液晶性ポリマー３１と液晶性分子３２との間に大きな屈折率差が生ずる。これにより、液晶層３０に入射した光Ｌ１乃至Ｌ３は、液晶層３０内で散乱される。図４Ｂに示した状態を『散乱状態』と称する。
【００２４】
図５Ａは、液晶層３０が透明状態である場合の表示パネルＰＮＬを示す断面図である。  
発光素子ＬＳから出射された照明光Ｌ１１は、端部Ｅ５から表示パネルＰＮＬに入射し、透明基板２０、液晶層３０、透明基板１０などを伝播する。液晶層３０が透明状態である場合、照明光Ｌ１１は、液晶層３０でほとんど散乱されないため、透明基板１０の下面１０Ｂ及び透明基板２０の上面２０Ｔからほとんど漏れ出すことはない。
【００２５】
表示パネルＰＮＬに入射する外部光Ｌ１２は、液晶層３０でほとんど散乱されることなく透過される。つまり、下面１０Ｂから表示パネルＰＮＬに入射した外部光は上面２０Ｔから透過され、上面２０Ｔから表示パネルＰＮＬに入射した外部光は下面１０Ｂから透過される。このため、ユーザは、表示パネルＰＮＬを上面２０Ｔ側から観察した場合には、表示パネルＰＮＬを透かして下面１０Ｂ側の背景を視認することができる。同様に、ユーザは、表示パネルＰＮＬを下面１０Ｂ側から観察した場合には、表示パネルＰＮＬを透かして上面２０Ｔ側の背景を視認することができる。
【００２６】
図５Ｂは、液晶層３０が散乱状態である場合の表示パネルＰＮＬを示す断面図である。  
発光素子ＬＳから出射された照明光Ｌ２１は、端部Ｅ５から表示パネルＰＮＬに入射し、透明基板２０、液晶層３０、透明基板１０などを伝播する。図示した例では、画素電極１１Ａと共通電極２１との間の液晶層３０は透明状態であるため、照明光Ｌ２１は、液晶層３０のうち画素電極１１Ａと重なる領域でほとんど散乱されない。一方、画素電極１１Ｂと共通電極２１との間の液晶層３０は散乱状態であるため、照明光Ｌ２１は、液晶層３０のうち画素電極１１Ｂと重なる領域で散乱される。照明光Ｌ２１のうち、一部の散乱光Ｌ２１１は上面２０Ｔから透過され、また、一部の散乱光Ｌ２１２は下面１０Ｂから透過される。
【００２７】
画素電極１１Ａと重なる領域では、表示パネルＰＮＬに入射する外部光Ｌ２２は、図５Ａに示した外部光Ｌ１２と同様に、液晶層３０でほとんど散乱されることなく透過される。画素電極１１Ｂと重なる領域では、下面１０Ｂから入射した外部光Ｌ２３は、その一部の光Ｌ２３１が液晶層３０で散乱された後に上面２０Ｔから透過される。また、上面２０Ｔから入射した外部光Ｌ２４は、その一部の光Ｌ２４１が液晶層３０で散乱された後に下面１０Ｂから透過される。
【００２８】
このため、ユーザは、表示パネルＰＮＬを上面２０Ｔ側から観察した場合には、画素電極１１Ｂと重なる領域で照明光Ｌ２１の色を視認することができる。加えて、一部の外部光Ｌ２３１が表示パネルＰＮＬを透過するため、ユーザは、表示パネルＰＮＬを透かして下面１０Ｂ側の背景を視認することもできる。同様に、ユーザは、表示パネルＰＮＬを下面１０Ｂ側から観察した場合には、画素電極１１Ｂと重なる領域で照明光Ｌ２１の色を視認することができる。加えて、一部の外部光Ｌ２４１が表示パネルＰＮＬを透過するため、ユーザは、表示パネルＰＮＬを透かして上面２０Ｔ側の背景を視認することもできる。なお、画素電極１１Ａと重なる領域では、液晶層３０が透明状態であるため、照明光Ｌ２１の色はほとんど視認されず、ユーザは、表示パネルＰＮＬを透かして背景を視認することができる。
【００２９】
図６は、液晶層３０の散乱特性を示すグラフであり、液晶層３０に印加される液晶印加電圧ＶＬＣと輝度との関係を表している。ここでの輝度は、例えば図５Ｂに示したように、発光素子ＬＳから出射された照明光Ｌ２１が液晶層３０にて散乱した際に得られる散乱光Ｌ２１１の輝度に相当する。他の観点から言えば、この輝度は、液晶層３０の散乱度を表している。
【００３０】
液晶印加電圧ＶＬＣを０Ｖから上昇させていくと、液晶印加電圧ＶＬＣが８Ｖ程度を超えてから輝度は急峻に上昇し、液晶印加電圧ＶＬＣが２０Ｖ程度を超えると、輝度は飽和する。なお、液晶印加電圧ＶＬＣが０Ｖから８Ｖの間においても、輝度は僅かに上昇する。本実施形態では、２点鎖線で囲った領域、すなわち８Ｖから１６Ｖの範囲の電圧を各画素ＰＸの階調表現（例えば２５６階調）に用いる。以下、８Ｖ＜ＶＬＣ≦１６Ｖの液晶印加電圧を『散乱電圧』と呼ぶ。また、本実施形態では、一点鎖線で囲った領域、すなわち０Ｖ≦ＶＬＣ≦８Ｖの液晶印加電圧を『透明電圧』と呼ぶ。ここでの透明電圧は、第１透明電圧及び第２透明電圧を含んでいる。なお、散乱電圧の下限値及び上限値、及び、透明電圧の下限値及び上限値は、ここで説明した例に限られず、液晶層３０の散乱特性に応じて適宜に定め得る。
【００３１】
例えば、散乱電圧の上限値である１６Ｖでの輝度を１００％とした場合、透明電圧は、輝度が１０％未満となる液晶印加電圧ＶＬＣの範囲と定義することができる。あるいは、透明電圧は、最低階調に対応する電圧（図６の例では８Ｖ）以下の液晶印加電圧ＶＬＣと定義することもできる。一例では、第１透明電圧は８Ｖの液晶印加電圧ＶＬＣに相当し、第２透明電圧は０Ｖの液晶印加電圧ＶＬＣに相当する。あるいは、第１透明電圧は８Ｖ以下の液晶印加電圧ＶＬＣに相当し、第２透明電圧は第１透明電圧より小さい液晶印加電圧に相当する。あるいは、第２透明電圧は、最大散乱輝度を１００％とした場合に、輝度が１０％未満となる液晶印加電圧に相当し、第１透明電圧は、輝度が５０％以下となる液晶印加電圧に相当する。液晶層３０に透明電圧が印加された状態は、液晶層３０に散乱性がほとんど出現しない状態に相当し、表示パネルＰＮＬを透かして背景を視認できる程度の透明度を有している。
【００３２】
一例では、透明電圧のうち、第２透明電圧が印加された場合の液晶層３０の透明度は、第１透明電圧が印加された場合の液晶層３０の透明度より高い。また、透明電圧が印加された場合の液晶層３０の透明度は、散乱電圧が印加された場合の液晶層３０の透明度より高い。散乱電圧が印加された場合に液晶層３０を透過する光の散乱度は、透明電圧が印加された場合に液晶層３０を透過する光の散乱度より高い。また、第１透明電圧が印加された場合に液晶層３０を透過する光の散乱度は、第２透明電圧が印加された場合に液晶層３０を透過する光の散乱度より高い。液晶層３０を透過する光の平行度に着目すると、透明電圧が印加された場合の液晶層３０の平行度は、散乱電圧が印加された場合の液晶層３０の平行度より高い。また、第２透明電圧が印加された場合の液晶層３０の平行度は、第１透明電圧が印加された場合の液晶層３０の平行度より高い。
【００３３】
なお、液晶層３０に電圧を印加する際、液晶印加電圧ＶＬＣの極性が正極性（＋）の場合と、負極性（−）の場合とがある。図６に示したグラフは、液晶印加電圧ＶＬＣの絶対値に相当する。
【００３４】
表示装置ＤＳＰには、液晶印加電圧の極性を反転する極性反転駆動を適用することができる。図７Ａ、図７Ｂ、及び、図７Ｃは、極性反転駆動の概要を示す図である。  
図７Ａは、１本の走査線Ｇに接続された一群の画素ＰＸ（１画素ライン）ごとに、液晶印加電圧（画素ＰＸに書き込む電圧）を正極性（＋）と負極性（−）とで反転する１ライン反転駆動を表している。このような駆動方法においては、例えば、ゲートドライバＧＤ１及びＧＤ２が走査線Ｇに走査信号を供給する水平期間ごとに、共通電極２１に供給されるコモン電圧の極性と、ソースドライバＳＤから信号線Ｓに供給される映像信号の極性（信号線電圧の極性）とが反転される。同じ水平期間において、コモン電圧の極性と映像信号の極性は、例えば逆である。
【００３５】
図７Ｂは、２ラインごとに液晶印加電圧を正極性（＋）と負極性（−）とで反転する２ライン反転駆動を表している。図７Ａ及び図７Ｂの例に限られず、３つ以上の画素ラインごとに極性を反転してもよい。
【００３６】
図７Ｃは、１つの画像データに応じた画像を表示する１フレーム期間ごとに液晶印加電圧を正極性（＋）と負極性（−）とで反転するフレーム反転駆動を表している。このような駆動方法においては、例えば、１フレーム期間ごとに、コモン電圧の極性と、映像信号の極性とが反転される。同じ１フレーム期間において、コモン電圧の極性と映像信号の極性は、例えば逆である。
【００３７】
図８は、図７Ａに示した１ライン反転駆動を適用した表示走査において、共通電極２１に供給されるコモン電圧Ｖｃｏｍと、信号線Ｓ（あるいは画素電極１１）に供給される信号線電圧Ｖｓｉｇとの一例を示す図である。  
信号線電圧Ｖｓｉｇに関しては、階調の最大値（ｍａｘ）に相当する波形と、階調の最小値（ｍｉｎ）に相当する波形とを示している。ここでは、信号線電圧Ｖｓｉｇ（ｍｉｎ）の波形を実線で示し、基準電圧Ｖｓｉｇ−ｃの波形は一点鎖線で示し、コモン電圧Ｖｃｏｍの波形を二点鎖線で示し、信号線電圧Ｖｓｉｇ（ｍａｘ）の波形を破線で示している。この図の例において、コモン電圧Ｖｃｏｍ及び信号線電圧Ｖｓｉｇ（最大値の波形を参照）は、基準電圧Ｖｓｉｇ−ｃを中心として、一水平期間Ｈごとに極性反転している。基準電圧Ｖｓｉｇ−ｃは、例えば８Ｖである。コモン電圧Ｖｃｏｍ及び信号線電圧Ｖｓｉｇの各々において、下限値は０Ｖであり、上限値は１６Ｖである。
【００３８】
なお、液晶印加電圧が正極性である場合とは、信号線電圧Ｖｓｉｇとコモン電圧Ｖｃｏｍとの差（Ｖｓｉｇ−Ｖｃｏｍ）が０Ｖ又は正の電圧値となる場合に相当し、この場合の信号線電圧Ｖｓｉｇは基準電圧Ｖｓｉｇ−ｃ以上の電圧となる。液晶印加電圧が負極性である場合とは、信号線電圧Ｖｓｉｇとコモン電圧Ｖｃｏｍとの差（Ｖｓｉｇ−Ｖｃｏｍ）が０Ｖ又は負の電圧値となる場合に相当し、この場合の信号線電圧Ｖｓｉｇは基準電圧Ｖｓｉｇ−ｃ以下の電圧となる。
【００３９】
画素ＰＸに正極性の液晶印加電圧を書き込む期間において、コモン電圧Ｖｃｏｍは０Ｖとなり、信号線電圧Ｖｓｉｇは８Ｖ以上かつ１６Ｖ以下の範囲で、画像データが示す階調に応じた電圧値となる。一方、画素ＰＸに負極性の電圧を書き込む期間において、コモン電圧Ｖｃｏｍは１６Ｖとなり、信号線電圧Ｖｓｉｇは０Ｖ以上かつ８Ｖ以下の範囲で、画像データが示す階調に応じた電圧値となる。すなわち、いずれの場合でも、共通電極２１と画素電極１１との間には、８Ｖ以上かつ１６Ｖ以下の電圧が印加される。
【００４０】
図示した例では、信号線電圧Ｖｓｉｇ（ｍｉｎ）が８Ｖであり、コモン電圧Ｖｃｏｍが０Ｖまたは１６Ｖである場合、液晶印加電圧は８Ｖとなり、この液晶印加電圧が第１透明電圧に相当する。また、８Ｖを超える液晶印加電圧が散乱電圧に相当する。散乱電圧は、図示したように、正極性の第１散乱電圧と、負極性の第２散乱電圧とを有する。正極性の第１散乱電圧とは、信号線電圧Ｖｓｉｇとコモン電圧Ｖｃｏｍとの差（Ｖｓｉｇ−Ｖｃｏｍ）が＋８Ｖより大きく＋１６Ｖ以下の電圧である。負極性の第２散乱電圧とは、信号線電圧Ｖｓｉｇとコモン電圧Ｖｃｏｍとの差（Ｖｓｉｇ−Ｖｃｏｍ）が−８Ｖより小さく−１６Ｖ以上の電圧である。
【００４１】
図６に示したように、液晶印加電圧ＶＬＣが８Ｖであっても、液晶層３０が０％〜１０％程度の散乱度を有している。したがって、信号線電圧Ｖｓｉｇを階調の最小値とした場合であっても、表示パネルＰＮＬに入射する光は僅かに散乱される。  
本実施形態では、画素電極１１と共通電極２１との間の電圧を例えば階調の下限値よりも小さくする透明走査（後述する第１期間Ｔ１における走査）を画像表示のシーケンスに取り入れることで、表示パネルＰＮＬの背景の視認性を向上させることができる。
【００４２】
図９は、透明走査におけるコモン電圧Ｖｃｏｍと信号線電圧Ｖｓｉｇの一例を示す図である。ここでは、信号線電圧Ｖｓｉｇの波形を実線で示し、コモン電圧Ｖｃｏｍの波形を二点鎖線で示している。
【００４３】
図８の例と同じく、コモン電圧Ｖｃｏｍは、一水平期間Ｈごとに０Ｖと１６Ｖとに交互に切替っている。つまり、コモン電圧Ｖｃｏｍは、基準電圧Ｖｓｉｇ−ｃに対してその極性が一水平期間Ｈごとに反転している。透明走査においては、信号線電圧Ｖｓｉｇの極性が、コモン電圧Ｖｃｏｍの極性と一致している。これにより、信号線電圧Ｖｓｉｇとコモン電圧Ｖｃｏｍとの電位差が８Ｖ未満となり、液晶層３０の透明度が増す。図９の例では、信号線電圧Ｖｓｉｇは、各水平期間Ｈにおいてコモン電圧Ｖｃｏｍと実質一致している（Ｖｓｉｇ＝Ｖｃｏｍ＝０Ｖ又はＶｓｉｇ＝Ｖｃｏｍ＝１６Ｖ）。このため、液晶印加電圧は、実質０Ｖとなり、この液晶印加電圧が第２透明電圧に相当する。なお、図９においては、信号線電圧Ｖｓｉｇとコモン電圧Ｖｃｏｍの図示の関係上、両者を僅かにずらして表している。
【００４４】
なお、透明走査では、液晶印加電圧が階調の下限値（例えば８Ｖ）未満となれば良く、信号線電圧Ｖｓｉｇはコモン電圧Ｖｃｏｍと完全に一致しなくても良い。すなわち、コモン電圧Ｖｃｏｍが実質０Ｖとなる期間には、透明走査における信号線電圧Ｖｓｉｇは、０Ｖ≦Ｖｓｉｇ＜８Ｖの範囲で定めることができる。コモン電圧Ｖｃｏｍが１６Ｖとなる期間には、透明走査における信号線電圧Ｖｓｉｇは、８Ｖ＜Ｖｓｉｇ≦１６Ｖの範囲で定めることができる。何れにおいても、透明走査によれば、信号線電圧Ｖｓｉｇとコモン電圧Ｖｃｏｍとの電位差が８Ｖ未満となり、上述した透明状態を得ることができる。言い換えると、第２透明電圧は液晶印加電圧が実質０Ｖの場合に限らず、液晶印加電圧が８Ｖ未満であってもよい。
【００４５】
図１０は、透明走査におけるコモン電圧Ｖｃｏｍと信号線電圧Ｖｓｉｇの他の例を示す図である。ここでは、信号線電圧Ｖｓｉｇの波形を実線で示し、コモン電圧Ｖｃｏｍの波形を二点鎖線で示している。  
この図の例では、透明走査において、コモン電圧Ｖｃｏｍ及び信号線電圧Ｖｓｉｇの極性反転が停止されている。さらに、コモン電圧Ｖｃｏｍ及び信号線電圧Ｖｓｉｇが８Ｖ（上述の基準電圧Ｖｓｉｇ−ｃ）で一致している。このため、液晶印加電圧は、実質０Ｖとなり、この液晶印加電圧が第２透明電圧に相当する。なお、コモン電圧Ｖｃｏｍ及び信号線電圧Ｖｓｉｇは、実質０Ｖなど、基準電圧Ｖｓｉｇ−ｃ以外の電圧で一致しても良い。また、コモン電圧Ｖｃｏｍ及び信号線電圧Ｖｓｉｇが、例えば両者の電位差が０Ｖより大きくかつ８Ｖ未満となる範囲内で互いに異なっても良い。  
以上、１ライン反転駆動を例に透明走査を説明したが、２ライン以上のライン反転駆動やフレーム反転駆動にも同様の透明走査を適用できる。
【００４６】
続いて、透明走査を取り入れた表示装置ＤＳＰの制御例につき、図１１乃至図１４を参照して説明する。なお、ここでは、１フレーム期間が複数のサブフレーム（フィールド）期間を有する駆動方式を表示装置ＤＳＰに適用する。このような駆動方式は、例えばフィールドシーケンシャル方式などと呼ばれる。各サブフレーム期間においては、赤色、緑色、青色の画像がそれぞれ表示される。このように時分割で表示された各色の画像が合わさって、多色表示の画像としてユーザに視認される。
【００４７】
図１１は、図３に示したタイミングコントローラＴＣの一構成例を示す図である。  
タイミングコントローラＴＣは、タイミング生成部５０、フレームメモリ５１、ラインメモリ５２Ｒ、５２Ｇ、５２Ｂ、データ変換部５３、光源制御部５４、検出部５５、メモリ５６などを備えている。
【００４８】
フレームメモリ５１は、外部から入力される１フレーム分の画像データを記憶する。ラインメモリ５２Ｒ、５２Ｇ、５２Ｂは、それぞれ赤色、緑色、及び、青色のサブフレームデータを記憶する。各サブフレームデータは、各画素ＰＸに時分割で表示させる赤色、緑色、及び、青色の画像（例えば各画素ＰＸの階調値）を表す。ラインメモリ５２Ｒ、５２Ｇ、５２Ｂが記憶する各色のサブフレームデータは、フレームメモリ５１が記憶する画像データの１つ前のフレームのデータに相当する。なお、フレームメモリ５１が赤色、緑色、及び、青色のサブフレームデータを振り分けて出力可能な構成であれば、ラインメモリを省略してもよい。データ変換部５３は、ラインメモリ５２Ｒ、５２Ｇ、５２Ｂが記憶する各色のサブフレームデータに対してガンマ補正などの各種のデータ変換処理を施して映像信号を生成し、上述のソースドライバＳＤに出力する。また、データ変換部５３は、透明走査時に、コモン電圧Ｖｃｏｍと信号線電圧Ｖｓｉｇとの電位差が上記の透明電圧の範囲内となるようにデータ変換処理を行う。
【００４９】
光源制御部５４は、光源制御信号を上述の光源ドライバＬＳＤに出力する。光源ドライバＬＳＤは、光源制御信号に基づいて、発光素子ＬＳＲ、ＬＳＧ、ＬＳＢを駆動する。発光素子ＬＳＲ、ＬＳＧ、ＬＳＢは、例えばＰＷＭ（Pulse Width Modulation）制御により駆動することができる。すなわち、光源ドライバＬＳＤは、発光素子ＬＳＲ、ＬＳＧ、ＬＳＢに出力する信号のデューティ比によって、発光素子ＬＳＲ、ＬＳＧ、ＬＳＢの各々の輝度を調整することができる。
【００５０】
タイミング生成部５０は、外部から入力される垂直同期信号Ｖｓｙｎｃ及び水平同期信号Ｈｓｙｎｃに同期して、フレームメモリ５１、ラインメモリ５２Ｒ、５２Ｇ、５２Ｂ、データ変換部５３、光源制御部５４の動作タイミングを制御する。また、タイミング生成部５０は、Ｖｃｏｍ制御信号によりＶｃｏｍ回路ＶＣを制御し、ソースドライバ制御信号によりソースドライバＳＤを制御するとともに、ゲートドライバ制御信号によりゲートドライバＧＤ１及びＧＤ２を制御する。
【００５１】
検出部５５は、外部から入力される１フレーム分の画像データにキャラクタのデータが含まれているか判断し、キャラクタのデータが含まれている場合、キャラクタのデータのアドレスを検出するように構成されている。なお、ここでのキャラクタとは、例えば、表示面の一部に表示される文字、図、アイコン等である。キャラクタのデータのアドレス情報は、データ変換部５３に与えられる。このため、タイミングコントローラＴＣは、外部から入力される画像データにキャラクタのデータが含まれている場合、キャラクタを表示するキャラクタ表示領域の表示色、及び、キャラクタ表示領域の周辺領域（キャラクタ表示領域の上下数画素ライン）の背景色を調整するため、加工した映像信号を生成し、ソースドライバＳＤに出力することができる。加工した映像信号を生成する際は、データ変換部５３による演算にて行ったり、タイミングコントローラＴＣのメモリ５６に格納されたテーブルを利用して行ったり、することができる。
【００５２】
メモリ５６は、後述するキャラクタ表示領域の表示色を示す第１表示色と、キャラクタ表示領域の周辺領域の背景色を示す第２表示色との組み合わせを示す第１テーブルＴＢ１や、表示すべきキャラクタのサイズを示す第１画素ライン数と、キャラクタの上段及び下段などに位置する余白を示す第２画素ライン数及び第３画素ライン数との組み合わせを示す第２テーブルＴＢ２などを格納している。
【００５３】
ここで、キャラクタとその周辺領域の散乱度（透明度）を調整する例について説明する。  
図１２に示すように、ユーザは、表示装置ＤＳＰの背景の「ＡＢＣ」の文字列のうち、文字「Ｂ」を表示装置ＤＳＰ越しにみているものとする。この場合、表示領域ＤＡに「ＢＢＢ」の文字列のキャラクタＣＨ１を単に表示した場合、キャラクタＣＨ１が背景の文字「Ｂ」に重なり、ユーザはキャラクタＣＨ１を視認（識別）し難くなる恐れがある。そこで、本実施形態では、キャラクタＣＨ１が背景の文字「Ｂ」に重なる場合においても、ユーザがキャラクタＣＨ１を視認し易くなる技術を提供するものである。又は、背景の影響をユーザが受け難くなる技術を提供するものである。
【００５４】
ここで、表示領域ＤＡのうち、キャラクタＣＨ１を表示する領域を第１領域Ａ１とする。図示した例では、キャラクタＣＨ１は間隔を置いて並んだ３文字であるため、第１領域Ａ１は不連続な領域である。表示領域ＤＡのうち、少なくとも第１領域Ａ１に位置する画素ラインの全域を含む領域を対象領域ＯＡとする。本実施形態において、対象領域ＯＡは、第１領域Ａ１の位置する画素ラインの全域だけではなく、第１領域Ａ１より端部Ｅ１側のいくつかの画素ラインの全域（上段の余白）と、第１領域Ａ１より端部Ｅ２側のいくつかの画素ラインの全域（下段の余白）と、を含んでいる。また、対象領域ＯＡは、図示した例では表示領域ＤＡの端部Ｅ１側の端に設定されている。対象領域ＯＡのうち第１領域Ａ１以外の領域を第２領域Ａ２とする。表示領域ＤＡのうち対象領域ＯＡ以外の領域を非対象領域（第３領域）ＮＯＡとする。
【００５５】
図１３を参照して、対象領域ＯＡについて、より具体的に説明する。  
対象領域ＯＡは、キャラクタＣＨ１に相当する第１領域Ａ１、及び、第１領域Ａ１を囲む周辺領域に相当する第２領域Ａ２を備えている。第２領域Ａ２は、図中のドットで示した領域全体に相当し、第１部分Ａ２１、第１部分Ａ２１に隣接する第２部分Ａ２２、及び、第２部分Ａ２２に隣接する第３部分Ａ２３を備えている。第１部分Ａ２１、第２部分Ａ２２、及び、第３部分Ａ２３は、この順に第２方向Ｙに並んでいる。第１領域Ａ１及び第２部分Ａ２２は、第１方向Ｘに並んでいる。第１部分Ａ２１は、第１領域Ａ１の上段あるいは第１領域Ａ１の表示領域端部Ｅ１側に位置し且つ第１方向Ｘに延出した帯状の領域に相当する。第３部分Ａ２３は、第１領域Ａ１の下段あるいは第１領域Ａ１の表示領域端部Ｅ２側に位置し且つ第１方向Ｘに延出した帯状の領域に相当する。第２部分Ａ２２は、第１部分Ａ２１及び第３部分Ａ２３の間の領域において、第１領域Ａ１以外の領域に相当し、第１方向Ｘに並んだキャラクタ「Ｂ」と「Ｂ」との間の領域Ａ２２１や、キャラクタ「Ｂ」で囲まれた領域Ａ２２２なども第２部分Ａ２２に相当する。
【００５６】
対象領域ＯＡ及び非対象領域ＮＯＡは、複数の画素ラインによって構成されている。より具体的には、第１部分Ａ２１は、画素ラインＰＸＬ１を含む１本以上の画素ラインによって構成される。第１領域Ａ１及び第２部分Ａ２２は、画素ライン（第１画素ライン）ＰＸＬ２を含む１本以上の画素ラインによって構成される。つまり、第１領域Ａ１、及び第２部分Ａ２２の少なくとも一部は、同一の画素ラインに位置している。第３部分Ａ２３は、画素ラインＰＸＬ３を含む１本以上の画素ラインによって構成される。また、非対象領域ＮＯＡは、画素ライン（第２画素ライン）ＰＸＬ４を含む複数本の画素ラインによって構成されている。図示したように、画素ラインＰＸＬ１は、第１方向Ｘに並んだ複数の画素電極１１あるいは複数の画素ＰＸによって構成されている。他の画素ラインＰＸＬ２乃至ＰＸＬ４についても画素ラインＰＸＬ１と同様に構成されている。
【００５７】
第１領域Ａ１の第１表示色は、外部から入力された画像データに含まれるキャラクタＣＨ１の色情報によって決定される。第２領域Ａ２の第２表示色は、後述する第１テーブルＴＢ１に基づき、決定した第１表示色に応じて決定される。
【００５８】
また、第１領域Ａ１及び第２部分Ａ２２を構成する画素ラインの本数は、画像データに含まれるキャラクタＣＨ１のサイズ情報によって決定される。キャラクタＣＨ１のサイズＣＳは、キャラクタＣＨ１の第２方向Ｙの長さに相当し、第２方向Ｙに並んだｍ本分の画素ラインの幅に相当する。第１部分Ａ２１及び第３部分Ａ２３のそれぞれを構成する画素ラインの本数は、後述する第２テーブルＴＢ２に基づき、キャラクタＣＨ１のサイズに応じて必要とされる上段及び下段の余白サイズによって決定される。上段の余白サイズＭＳ１は、第２方向Ｙに並んだｎ１本分の画素ラインの幅に相当する。下段の余白サイズＭＳ２は、第２方向Ｙに並んだｎ２本分の画素ラインの幅に相当する。
【００５９】
図１４には、表示パネルＰＮＬのうち説明に必要な部分のみを示している。また、図１４には、光路の一例を示している。
【００６０】
複数の画素電極１１は、第１領域Ａ１に位置する第１画素電極１１Ｃと、第２領域Ａ２に位置する第２画素電極１１Ｄと、非対象領域ＮＯＡに位置する第３画素電極１１Ｅと、を含んでいる。例えば、第１画素電極１１Ｃと第２画素電極１１Ｄとは、同一の画素ライン（図１３に示した画素ラインＰＸＬ２）に含まれ、複数本の走査線Ｇのうち同一の１本の走査線Ｇに電気的に接続されている。第３画素電極１１Ｅは、第１画素電極１１Ｃ及び第２画素電極１１Ｄとは異なる画素ライン（図１３に示した画素ラインＰＸＬ４）に含まれ、複数本の走査線Ｇのうち別の１本の走査線Ｇに電気的に接続されている。  
液晶層３０（表示機能層）は、第１画素電極１１Ｃと共通電極２１との間の電圧が印加される第１液晶層３０Ｃ（第１表示機能層）と、第２画素電極１１Ｄと共通電極２１との間の電圧が印加される第２液晶層３０Ｄ（第２表示機能層）と、第３画素電極１１Ｅと共通電極２１との間の電圧が印加される第３液晶層３０Ｅ（第３表示機能層）と、を含んでいる。  
複数の画素ＰＸは、第１画素ＰＸＣと、第２画素ＰＸＤと、第３画素ＰＸＥとを含んでいる。第１画素ＰＸＣは、第１画素電極１１Ｃ、第１液晶層３０Ｃ、共通電極２１などを含んでいる。第２画素ＰＸＤは、第２画素電極１１Ｄ、第２液晶層３０Ｄ、共通電極２１などを含んでいる。第３画素ＰＸＥは、第３画素電極１１Ｅ、第３液晶層３０Ｅ、共通電極２１などを含んでいる。
【００６１】
キャラクタＣＨ１を表示する１フレーム期間に注目すると、コントローラＣＮＴは、光源ユニットＬＵを駆動して発光素子ＬＳから液晶層３０に向けて光を照射させる。また、コントローラＣＮＴは、液晶層３０に光が照射される期間に、第１液晶層３０Ｃ及び第２液晶層３０Ｄにそれぞれ散乱電圧を印加し、第３液晶層３０Ｅに透明電圧を印加する。なお、第３液晶層３０Ｅに印加される透明電圧は、第１透明電圧であっても良いし、第２透明電圧であっても良い。
【００６２】
これにより、第１液晶層３０Ｃ及び第２液晶層３０Ｄはいずれも散乱状態となり、第３液晶層３０Ｅは透明状態となる。第１液晶層３０Ｃ及び第２液晶層３０Ｄはいずれも光源ユニットＬＵから照射される光を散乱し、第３液晶層３０Ｅは光源ユニットＬＵから照射される光をほとんど散乱しない。また、図１３に示した画素ラインＰＸＬ１及びＰＸＬ３を構成する各画素は、第２画素ＰＸＤと同様に構成され、第２液晶層３０Ｄと同様に散乱電圧が印加され、光を散乱する。
【００６３】
したがって、第１領域Ａ１は、光源ユニットＬＵからの光のうちの一部の色の光を散乱し、キャラクタＣＨ１が第１表示色Ｃ１で表示される。第１部分Ａ２１、第２部分Ａ２２、及び、第３部分Ａ２３を含む第２領域Ａ２は、光源ユニットＬＵからの光のうちの一部の色の光を散乱し、キャラクタＣＨ１の周辺領域は、第１表示色Ｃ１とは異なる第２表示色Ｃ２で表示される。第１表示色Ｃ１及び第２表示色Ｃ２は、光源ユニットＬＵから照射される光のうち、単一の発光素子からの光を散乱したり、複数の発光素子からの光を散乱したりすることで表現できる。また、キャラクタＣＨ１を全て同一色で表示したり、キャラクタＣＨ１を部分毎に異なる色で表示したり、することも可能である。一例では、第１表示色Ｃ１及び第２表示色Ｃ２は、無彩色以外の色であることが望ましい。
なお、光源ユニットＬＵから光が照射されない場合であっても、散乱電圧が印加された領域では図５Ｂを参照して説明したように外部光が散乱され、電圧が印加されていない領域あるいは透明電圧が印加された領域では図５Ａを参照して説明したように外部光が透過される。
【００６４】
また、第１液晶層３０Ｃ及び第２液晶層３０Ｄの散乱度は、第３液晶層３０Ｅの散乱度より高い。このため、第１領域Ａ１及び第２領域Ａ２において、表示装置ＤＳＰの背景の視認性を低下させることができる。つまり、第１領域Ａ１に相当するキャラクタＣＨ１及び第２領域Ａ２に相当する周辺領域の背景は、いずれも表示装置ＤＳＰを観察するユーザにとって視認されにくくなる。このため、ユーザに対して、キャラクタＣＨ１を視認させやすくすることができる。しかも、第１領域Ａ１の第１表示色Ｃ１は、第２領域Ａ２の第２表示色Ｃ２とは異なる色であるため、キャラクタをより視認させやすくすることができる。一方、第３液晶層３０Ｅは透明であるため、非対象領域ＮＯＡにおいて、表示装置ＤＳＰの背景の視認性が良好となる。
【００６５】
図１５Ａは、第１テーブルＴＢ１の一例を示す図である。  
第１表示色Ｃ１及び第２表示色Ｃ２は、互いに異なる色である。第１表示色Ｃ１及び第２表示色Ｃ２は、図３に示した光源ユニットＬＵの発光素子ＬＳＲ、ＬＳＧ、ＬＳＢによって表現可能な色から選択される。例えば、第１領域（キャラクタ）Ａ１の第１表示色Ｃ１は、３つの発光素子ＬＳＲ、ＬＳＧ、ＬＳＢのうちの少なくとも１つを点灯することによって表現される色から選択可能である。発光素子ＬＳＲ、ＬＳＧ、ＬＳＢのそれぞれの発光色が赤、緑、青である場合、第１表示色Ｃ１は、赤、緑、青、シアン、マゼンタ、イエローのいずれかから選択可能である。第２領域（周辺領域）Ａ２の第２表示色Ｃ２は、第１表示色Ｃ１と異なる色であればよいが、第１表示色Ｃ１のキャラクタが視認しやすい色であることが望ましく、例えば第１表示色Ｃ１の補色であることが望ましい。また、ＰＤＬＣを適用した表示装置は、加色混色によって色再現を実現しているため、第２表示色Ｃ２は、赤、緑、青の中からいずれかの単色を選択する方がキャラクタを容易に視認できるようになる。ここでは、第２表示色Ｃ２は、図示したように、青または緑である。なお、第１表示色Ｃ１及び第２表示色Ｃ２の組み合わせについては、図示した例に限らない。
図１５Ｂは、ＨＳＶ色空間の色相（Ｈ）と彩度（Ｓ）との関係を示す概念図である。色相Ｈは、０°から３６０°で表される。０°から３６０°に向かって、赤（Red）、黄色（Yellow）、緑（Green）、シアン（Cyan）、青（Blue）、マゼンタ（Magenta）、赤となる。図示した例では、角度０°を示す線Ｌ０を含む領域が赤となり、角度６０°を示す線Ｌ６０を含む領域が黄色となり、角度１２０°を示す線Ｌ１２０を含む領域が緑となり、角度１８０°を示す線Ｌ１８０を含む領域がシアンとなり、角度２４０°を示す線Ｌ２４０を含む領域が青となり、角度３００°を示す線Ｌ３００を含む領域がマゼンタとなる。上記の補色とは、互いに対向する２色の関係、あるいは、角度の差分が１８０°±１０°となる２色の関係に相当する。
【００６６】
図１６は、第２テーブルＴＢ２の一例を示す図である。  
第１領域Ａ１の第１画素ライン数ｍは、表示すべきキャラクタのサイズに対応する。第２領域Ａ２のうちの第１部分Ａ２１の第２画素ライン数ｎ１は、第１領域Ａ１の上段に位置する余白の第２方向Ｙの幅に対応する。第２領域Ａ２のうちの第３部分Ａ２３の第３画素ライン数ｎ２は、第１領域Ａ１の下段に位置する余白の第２方向Ｙの幅に対応する。一例では、ｍはｎ１及びｎ２よりも大きな整数である。ｎ１及びｎ２は、同一の整数でも良いし、異なる整数でも良い。なお、画素ライン数は、図１３などに示したように、第２方向Ｙに並んだ画素ラインの本数である。
【００６７】
図１７は、表示動作の一例を示すタイミングチャートである。  
１フレームの開始時に、垂直同期信号Ｖｓｙｎｃが立ち下がる。すなわち、この例では、垂直同期信号Ｖｓｙｎｃが立ち下がってから、再び立ち下がるまでの時間が１フレーム期間Ｆに相当する。例えば６０Ｈｚで表示装置ＤＳＰを駆動する場合、１フレーム期間Ｆは約１６．７ｍｓである。
【００６８】
１フレーム期間Ｆは、上述の透明走査を実行する第１期間Ｔ１と、上述の表示走査を実行する第２期間Ｔ２とを含んでいる。この例では、第１期間Ｔ１が１フレーム期間Ｆの先頭の期間であり、第２期間Ｔ２が第１期間Ｔ１に続いている。なお、第１期間Ｔ１が第２期間Ｔ２に続いても良い。
【００６９】
第１期間Ｔ１においては、タイミングコントローラＴＣの制御の下で透明走査が実行される。すなわち、ゲートドライバＧＤ１及びＧＤ２が各走査線Ｇ１〜Ｇｎに走査信号を順次供給する。さらに、この走査信号の供給の間、ソースドライバＳＤが各信号線Ｓ１〜Ｓｍに、例えばコモン電圧Ｖｃｏｍと実質的に等しい値の信号線電圧Ｖｓｉｇを供給する。このような動作により、全ての画素ＰＸの画素電極１１と共通電極２１との間に第２透明電圧が書き込まれる。各画素ＰＸの画素電極１１は、対応する走査線Ｇに走査信号が供給された後は、次に当該走査線Ｇに走査信号が供給されるまで電気的にフローティング状態となる。したがって、第２透明電圧が書き込まれた画素ＰＸにおいては、対応する走査線Ｇに対して次の走査信号が供給されるまで、第２透明電圧が保持される。
【００７０】
第２透明電圧が書き込まれた画素ＰＸにおいては、液晶層３０が良好な透明状態にあるので、表示パネルＰＮＬの背景の視認性が高まる。なお、一例では、第１期間Ｔ１においては、発光素子ＬＳＲ、ＬＳＧ、ＬＳＢはいずれも消灯している。但し、第１期間Ｔ１においては、すべての画素に第２透明電圧が書込まれており、すべての画素の液晶層３０が透明状態であるため、発光素子ＬＳＲ、ＬＳＧ、ＬＳＢが点灯していても良い。  
第１期間Ｔ１において各信号線Ｓ１〜Ｓｍに供給する信号線電圧Ｖｓｉｇは、各画素ＰＸに書き込まれる電圧が第２透明電圧となる値であれば、コモン電圧Ｖｃｏｍと同じである必要はない。透明走査におけるコモン電圧Ｖｃｏｍと信号線電圧Ｖｓｉｇについては、図９及び図１０を用いて説明した種々の態様を適用し得る。なお、第１期間Ｔ１に書き込まれる透明電圧は、第１透明電圧であっても良い。
【００７１】
第１期間Ｔ１において各走査線Ｇ１〜Ｇｎに走査信号を順次供給する期間は、図中の走査期間ＴＳ１に相当する。図示した例では、この走査期間ＴＳ１の直後に第２期間Ｔ２が到来するため、Ｔ１＝ＴＳ１である。第１期間Ｔ１は、走査期間ＴＳ１の後に、第２透明電圧をさらに保持するための保持期間を含んでも良い。  
なお、透明走査においては、全ての走査線Ｇに対して走査信号を同時に供給しても良い。この場合であっても、各画素ＰＸに第２透明電圧を書き込むことができる。
【００７２】
第２期間Ｔ２は、サブフレーム期間Ｔ２Ｒ、Ｔ２Ｇ、Ｔ２Ｂを含んでいる。図示した例では、第１期間Ｔ１の後にサブフレーム期間Ｔ２Ｒ、Ｔ２Ｇ、Ｔ２Ｂがこの順で並んでいるが、異なる順で並んでも良い。第２期間Ｔ２においては、タイミング生成部５０がフレームメモリ５１、ラインメモリ５２Ｒ、５２Ｇ、５２Ｂ、データ変換部５３をデータ同期信号ＤＥにより制御したり、検出部５５や、メモリ５６の第１テーブルＴＢ１及び第２テーブルＴＢ２などを利用したりして、各色の表示走査を実行させる。
【００７３】
サブフレーム期間Ｔ２Ｒは、走査期間ＴＳＲと、保持期間ＴＨＲとを含んでいる。走査期間ＴＳＲにおいては、ゲートドライバＧＤ１及びＧＤ２が各走査線Ｇ１〜Ｇｎに走査信号を順次供給する。さらに、この走査信号の供給の間、ソースドライバＳＤがラインメモリ５２Ｒに記憶された赤色のサブフレームデータ（Ｒ＿ＤＡＴＡ）に応じた信号線電圧Ｖｓｉｇを各信号線Ｓ１〜Ｓｍに供給する。より具体的には、走査信号が供給されたラインの各画素ＰＸに対応する階調の信号線電圧Ｖｓｉｇを一斉に各信号線Ｓ１〜Ｓｍに供給する動作が繰り返される。
【００７４】
このような動作により、各画素ＰＸの画素電極１１と共通電極２１との間に、赤色のサブフレームデータに応じた電圧が書き込まれる。第２期間Ｔ２において、各信号線Ｓ１〜Ｓｍを介して各画素電極１１に供給される信号線電圧Ｖｓｉｇは、共通電極２１のコモン電圧Ｖｃｏｍと極性が異なるか、或いは基準電圧Ｖｓｉｇ-ｃである。したがって、各画素ＰＸに書き込まれる電圧は、８Ｖ以上かつ１６Ｖ以下である。保持期間ＴＨＲは、全ての画素ＰＸへの書き込みが完了してから、サブフレーム期間Ｔ２Ｇが到来するまでの期間である。この保持期間ＴＨＲにおいて、赤色の発光素子ＬＳＲが点灯する。これにより、赤色の画像が表示領域ＤＡに表示される。
【００７５】
サブフレーム期間Ｔ２Ｇ及びＴ２Ｂにおける動作は、サブフレーム期間Ｔ２Ｒと同様である。すなわち、サブフレーム期間Ｔ２Ｇは走査期間ＴＳＧと保持期間ＴＨＧを含み、走査期間ＴＳＧにおいて各画素ＰＸにラインメモリ５２Ｇが記憶する緑色のサブフレームデータ（Ｇ＿ＤＡＴＡ）に応じた電圧が書き込まれ、保持期間ＴＨＧにおいて緑色の発光素子ＬＳＧが点灯する。これにより、緑色の画像が表示領域ＤＡに表示される。また、サブフレーム期間Ｔ２Ｂは走査期間ＴＳＢと保持期間ＴＨＢを含み、走査期間ＴＳＢにおいて各画素ＰＸにラインメモリ５２Ｂが記憶する青色のサブフレームデータ（Ｂ＿ＤＡＴＡ）に応じた電圧が書き込まれ、保持期間ＴＨＢにおいて青色の発光素子ＬＳＢが点灯する。これにより、青色の画像が表示領域ＤＡに表示される。
【００７６】
あるフレーム期間Ｆにおいて、次のフレーム期間Ｆで表示する画像データがフレームメモリ５１に書き込まれる。さらに、画素ＰＸへの書き込みが完了したラインメモリ５２Ｒ、５２Ｇ、５２Ｂのサブフレームデータが、フレームメモリ５１に書き込まれた画像データに対応するサブフレームデータにそれぞれ書き換えられる。
【００７７】
第２期間Ｔ２のサブフレーム期間Ｔ２Ｒ、Ｔ２Ｇ、Ｔ２Ｂにおいて時分割で表示された赤色、緑色、青色の画像が混合されることで、多色表示の画像としてユーザに視認される。また、第１期間Ｔ１においては、各画素ＰＸの画素電極１１と共通電極２１との間に、階調の最小値に対応する電圧よりも低い第２透明電圧が印加される。このような第１期間Ｔ１がフレーム毎に繰り返されることで、表示領域ＤＡの透明性が高まり、表示領域ＤＡの背景の視認性が向上する。
【００７８】
フレーム期間Ｆにおいて第１期間Ｔ１が占める割合が大きいほど表示領域ＤＡの透明性が高まるが、画像の視認性が低下し得る。これらを考慮し、第１期間Ｔ１の長さは、例えば１フレーム期間Ｆの長さの１／２以下とすることが好ましい。但し、透明性を重視する場合などには、１フレーム期間Ｆに占める第１期間Ｔ１の割合をより大きくしても良い。サブフレーム期間Ｔ２Ｒ、Ｔ２Ｇ、Ｔ２Ｂは、例えば同じ長さとすることができる。サブフレーム期間Ｔ２Ｒ、Ｔ２Ｇ、Ｔ２Ｂの比率を異ならせることで、表示画像の色度を調整しても良い。
【００７９】
次に、図１７の表示動作を利用して図１２のようにキャラクタＣＨ１を表示する際の１フレーム期間の表示動作について説明する。  
コントローラＣＮＴは、第１期間Ｔ１において、第１液晶層３０Ｃ、第２液晶層３０Ｄ、及び第３液晶層３０Ｅにそれぞれ第２透明電圧を印加するとともに、光源ユニットＬＵにおいてはすべての発光素子ＬＳＲ、ＬＳＧ、ＬＳＢを消灯させる。続いて、コントローラＣＮＴは、第２期間Ｔ２において、非対象領域ＮＯＡの第３液晶層３０Ｅに第２透明電圧を印加する。また、コントローラＣＮＴは、サブフレーム期間Ｔ２Ｒ、サブフレーム期間Ｔ２Ｇ、及び、サブフレーム期間Ｔ２Ｂの一以上のサブフレーム期間において、対象領域ＯＡのうち、キャラクタが表示される第１領域Ａ１の第１液晶層３０Ｃ及びキャラクタの背景に相当する第２領域Ａ２の第２液晶層３０Ｄに散乱電圧を印加する。コントローラＣＮＴは、サブフレーム期間Ｔ２Ｒの保持期間ＴＨＲにおいて、発光素子ＬＳＲを点灯させ、他の発光素子ＬＳＧ及びＬＳＢを消灯させる。また、コントローラＣＮＴは、サブフレーム期間Ｔ２Ｇの保持期間ＴＨＧにおいて、発光素子ＬＳＧを点灯させ、他の発光素子ＬＳＲ及びＬＳＢを消灯させる。また、コントローラＣＮＴは、サブフレーム期間Ｔ２Ｂの保持期間ＴＨＢにおいて、発光素子ＬＳＢを点灯させ、他の発光素子ＬＳＲ及びＬＳＧを消灯させる。
【００８０】
ここで、上記表示動作に極性反転駆動を適用した場合について説明する。  
図８に示したように、散乱電圧は、正極性の第１散乱電圧と、負極性の第２散乱電圧と、を有している。第１領域Ａ１にキャラクタＣＨ１を表示する際、コントローラＣＮＴは、１フレーム期間毎に、第１散乱電圧と第２散乱電圧とを第１領域Ａ１の第１液晶層３０Ｃに交互に印加する。また、第１領域Ａ１にキャラクタＣＨ１が表示されるのに伴って第２領域Ａ２に背景色を表示する際に、コントローラＣＮＴは、１フレーム期間毎に、第１散乱電圧と第２散乱電圧とを第２領域Ａ２の第１液晶層３０Ｄに交互に印加する。なお、第１領域Ａ１にキャラクタＣＨ１が表示されるのに伴って非対象領域ＮＯＡを透明状態とするために、コントローラＣＮＴは、各フレーム期間に、第２透明電圧を非対象領域ＮＯＡの第３液晶層３０Ｅに印加する。
【００８１】
なお、複数の第１期間Ｔ１が１フレーム期間Ｆに含まれても良い。図１８は、１フレーム期間Ｆに複数の第１期間Ｔ１が含まれる表示動作の一例を示すタイミングチャートである。  
第１期間Ｔ１は、１フレーム期間Ｆの先頭だけでなく、サブフレーム期間Ｔ２Ｒ及びＴ２Ｇの間と、サブフレーム期間Ｔ２Ｇ及びＴ２Ｂの間とにそれぞれ設けられている。この場合、いずれの第１期間Ｔ１においても、第２透明電圧が書き込まれるとともに、発光素子ＬＳＲ、ＬＳＧ、ＬＳＢはいずれも消灯している。但し、第１期間Ｔ１においては、すべての画素に第２透明電圧が書込まれており、すべての画素の液晶層３０が透明状態であるため、発光素子ＬＳＲ、ＬＳＧ、ＬＳＢが点灯していても良い。
【００８２】
これら３つの第１期間Ｔ１の長さは、例えば同じであるが、異なっていても良い。透明性と画像の視認性とを両立させる観点から、３つの第１期間Ｔ１の合計長さは、１フレーム期間Ｆの長さの１／２以下とすることが好ましい。但し、透明性を重視する場合などには、１フレーム期間Ｆに占める各第１期間Ｔ１の割合をより大きくしても良い。
【００８３】
表示装置ＤＳＰは、フィールドシーケンシャル方式だけでなく、単一の光源色を用いた表示動作を実行することもできる。図１９は、単一の光源色を用いた表示動作の一例を示すタイミングチャートである。  
図１９に示した例は、１フレーム期間Ｆが第１期間Ｔ１と第２期間Ｔ２とを含む点で図１７に示した例と共通し、第２期間Ｔ２がサブフレーム期間Ｔ２Ｒ、Ｔ２Ｇ、Ｔ２Ｂを含んでいない点で相違している。第２期間Ｔ２は、走査期間ＴＳ２と、保持期間ＴＨ２とを含んでいる。走査期間ＴＳ２においては、画像データに応じた電圧が各画素ＰＸに書き込まれる。保持期間ＴＨ２においては、各画素ＰＸに書き込まれた電圧が保持される。
なお、ここでの第１期間や走査期間は、各走査線Ｇ１〜Ｇｎの走査に要する期間であり、保持期間は、第１期間または走査期間の後に続き、次の第１期間または走査期間までの期間である。
【００８４】
さらに、保持期間ＴＨ２においては、表示させる画像の色に応じた発光素子ＬＳが点灯する。発光素子ＬＳの点灯は、図示したように次のフレーム期間Ｆの第１期間Ｔ１における各走査線Ｇ１〜Ｇｎの走査が完了するまで継続しても良いし、保持期間ＴＨ２の間のみ継続しても良い。つまり、図１９に示した例は、上記のフィールドシーケンシャル方式とは異なり、１フレーム期間において異なる色の発光素子が順次点灯するのではなく、１フレーム期間において所望の光源色となるように、発光素子ＬＳＲ、ＬＳＧ、ＬＳＢのうちの少なくとも１種類の発光素子ＬＳが点灯する。
【００８５】
図示した例では、赤色の発光素子ＬＳＲと緑色の発光素子ＬＳＧとが点灯している。これにより、赤色と緑色を混合した黄色の光源色が得られ、表示領域ＤＡには黄色の画像が表示される。上述のＰＷＭ制御により発光素子ＬＳを駆動することで、同時に点灯する発光素子ＬＳの色をそれぞれ調整し、種々の光源色を実現することができる。例えば、１フレーム期間において、緑色の発光素子ＬＳＧの点灯期間を、赤色の発光素子ＬＳＲの点灯期間より短くすることができる。なお、表示走査において発光素子ＬＳＲ、ＬＳＧ、ＬＳＢのいずれか１つのみ点灯させても良いし、３つ同時に点灯させても良い。
【００８６】
表示装置ＤＳＰは、例えば外部から入力される制御信号に基づいて、図１７乃至図１９に示した表示動作を切り替え可能であっても良い。また、図１７乃至図１９に示した表示動作のいずれかを実行するように予め設定されていても良い。
【００８７】
次に、図３に示したコントローラＣＮＴ及び図１１に示したタイミングコントローラＴＣによる処理の一例について図２０を参照しながら説明する。
【００８８】
画像データがタイミングコントローラＴＣに入力されると、画像データはフレームメモリ５１に記憶されるとともに検出部５５に入力される（ステップＳＴ１）。検出部５５は、画像データのうち、ライン単位で入力されたデータを判定し、１画素ライン分の全てのデータが「０」であるか否かを判定する（ステップＳＴ２）。言い換えると、検出部５５は、一画素ラインの全ての画素ＰＸに書込む電圧が第２透明電圧であるか否かを判断する。  
検出部５５は、１画素ライン分の全てのデータが「０」であると判断した場合（ステップＳＴ２、ＹＥＳ）、データ変換部５３に対して、対応する画素ラインの画像データを第２透明電圧データ（０Ｖ透明）に変換させる（ステップＳＴ３）。なお、ここでの第２透明電圧データとは、一画素ラインの全ての画素ＰＸに書込む電圧を第２透明電圧（＝０Ｖの液晶印加電圧）に設定するためのデータである。このような第２透明電圧に設定される画素ラインは、例えば、図１４に示した非対象領域ＮＯＡの画素ラインＰＸＬ４である。そして、コントローラＣＮＴは、非対象領域ＮＯＡにおいて透明走査を行う（ステップＳＴ４）。つまり、非対象領域ＮＯＡに含まれる画素ラインの画素ＰＸには第２透明電圧が書込まれる。
【００８９】
検出部５５は、１画素ライン分の全てのデータが「０」ではないと判断した場合（ステップＳＴ２、ＮＯ）、画像データを解析する（ステップＳＴ５）。検出部５５は、この解析処理において、画像データに含まれるキャラクタの色情報及びキャラクタのサイズ情報を取得する。そして、検出部５５は、メモリ５６に格納した第１テーブルＴＢ１を参照し、取得した色情報に基づいて第１表示色Ｃ１を決定するとともに、第１表示色Ｃ１に対応した第２表示色Ｃ２も決定する（ステップＳＴ６）。そして、検出部５５は、メモリ５６に格納した第２テーブルＴＢ２を参照し、取得したサイズ情報に基づいてキャラクタサイズを決定するとともに、キャラクタの上段及び下段の余白サイズをそれぞれ決定する。換言すると、検出部５５は、第１画素ライン数ｍを決定するとともに、第１画素ライン数ｍに対応した第２画素ライン数ｎ１及び第３画素ライン数ｎ２を決定する（ステップＳＴ７）。これにより、対象領域ＯＡである第１領域Ａ１及び第２領域Ａ２が決定される。ステップＳＴ５において決定した第１表示色Ｃ１及び第２表示色Ｃ２に関する情報と、ステップＳＴ６において決定した第１画素ライン数ｍ、第２画素ライン数ｎ１、及び、第３画素ライン数ｎ２に関する情報は、いずれもデータ変換部５３において反映される。
【００９０】
コントローラＣＮＴは、第１領域Ａ１及び第２領域Ａ２において表示走査を行う。これにより、第１領域Ａ１は第１表示色で表示されるとともに、第２領域Ａ２は第２表示色で表示される（ステップＳＴ８）。ここでの表示走査では、図８を参照して説明したように、画素ラインの各画素ＰＸに、散乱電圧または第１透明電圧（８Ｖ）が印加される。  
なお、第２領域Ａ２のうち、図１３に示した第１部分Ａ２１及び第３部分Ａ２３のそれぞれの画素ラインについては、ステップＳＴ２の判定に際して、１画素ライン分の全てのデータが「０」であると判定されるが、ステップＳＴ６の余白サイズの決定に際して、当該画素ラインが余白に含まれる場合には、当該画素ラインの各画素ＰＸには、第２透明電圧は書込まれない。つまり、ステップＳＴ８において、表示走査が行われる第２領域Ａ２は、１画素ライン分の全てのデータが「０」でありながら、余白として設定された第１部分Ａ２１及び第３部分Ａ２３を含む。このため、コントローラＣＮＴは、第１部分Ａ２１及び第３部分Ａ２３において表示走査を行う。
そして、コントローラＣＮＴは、第１領域Ａ１及び第２領域（余白を含む）Ａ２を除いた非対象領域ＮＯＡにおいて透明走査を行う（ステップＳＴ４）。
【００９１】
以上説明した本実施形態によれば、上述の通り、対象領域Ａ１において背景の視認性を高め、非対象領域Ａ２でキャラクタおよびその周辺領域の視認性を低下させ、表示装置ＤＳＰを介した背景の視認性を高めることができる。また、表示装置ＤＳＰにキャラクタが表示された際に、キャラクタの周辺領域の視認性を低下させ、背景の影響を受けにくくするとともに、周辺領域をキャラクタとは異なる色で表示することで、キャラクタＣＨ１の視認性を向上することができる。したがって、背景の視認性及び表示品位を向上することが可能な表示装置ＤＳＰを得ることができる。
【００９２】
また、本実施形態の構成であれば、表示装置ＤＳＰを低電圧のソースドライバを用いて駆動することができる。この効果につき、図６及び図８を参照しながら説明する。  
コモン電圧Ｖｃｏｍを直流電圧とし、当該コモン電圧Ｖｃｏｍを中心に信号線電圧Ｖｓｉｇのみ極性反転させる比較例を想定する。この場合、信号線電圧Ｖｓｉｇをコモン電圧Ｖｃｏｍと実質同じ電圧にすることで、通常の表示走査においても各画素ＰＸに実質０Ｖの電圧を書き込むことができる。但しこの比較例において、図６の散乱電圧を階調表現に用いるためには、信号線電圧Ｖｓｉｇは、コモン電圧Ｖｃｏｍに対して−１６Ｖ〜＋１６Ｖの範囲で可変でなければならない。すなわち、ソースドライバＳＤ等の回路が３２Ｖの耐圧を有する必要がある。
【００９３】
これに対し、本実施形態の構成であれば、図８に示したように信号線電圧Ｖｓｉｇ及びコモン電圧Ｖｃｏｍが例えば１６Ｖの範囲で可変であればよい。すなわち基準電圧８Ｖに対して±８Ｖで信号線電圧Ｖｓｉｇ及びコモン電圧Ｖｃｏｍを可変させればよい。したがって、ソースドライバＳＤ等の回路が１６Ｖの耐圧を有すれば足りる。このように、回路の耐圧を低く抑えることで、回路サイズや製造コストを低減することが可能となる。  
以上の他にも、本実施形態からは種々の好適な効果を得ることができる。
【００９４】
次に、本実施形態における駆動例について説明する。ここでは、図１３を参照して説明した第１領域Ａ１の第１表示色Ｃ１が黄色であり、第２領域Ａ２の第２表示色Ｃ２が青色であり、第１領域Ａ１及び第２部分Ａ２２を構成する第１画素ライン数ｍが２０本であり、第１部分Ａ２１を構成する第２画素ライン数ｎ１が１０本であり、第３部分Ａ２３を構成する第３画素ライン数ｎ２が１０本である場合について説明する。なお、表示領域ＤＡは、ｎ本の走査線Ｇ１乃至Ｇｎに対応した画素ラインによって構成されているものとし、第１部分Ａ２１を構成する１０本の画素ラインは走査線Ｇ１乃至Ｇ１０にそれぞれ接続され、第１領域Ａ１及び第２部分Ａ２２を構成する２０本の画素ラインは走査線Ｇ１１乃至Ｇ３０にそれぞれ接続され、第３部分Ａ２３を構成する１０本の画素ラインは走査線Ｇ３１乃至Ｇ４０にそれぞれ接続されている。なお、走査線Ｇ４１乃至Ｇｎに対応した画素ラインは、非対象領域ＮＯＡを構成している。
【００９５】
（第１実施形態の第１駆動例）  
図２１Ａに示すように、１フレーム期間Ｆは、第１期間Ｔ１及び第２期間Ｔ２を含む。第１期間Ｔ１は、走査期間ＴＳ１を含んでいる。第２期間Ｔ２は、サブフレーム期間Ｔ２Ｒ、Ｔ２Ｇ、Ｔ２Ｂを含んでいる。サブフレーム期間Ｔ２Ｒは走査期間ＴＳＲ及び保持期間ＴＨＲを含み、サブフレーム期間Ｔ２Ｇは走査期間ＴＳＧ及び保持期間ＴＨＧを含み、サブフレーム期間Ｔ２Ｂは走査期間ＴＳＢ及び保持期間ＴＨＢを含んでいる。
【００９６】
第１期間Ｔ１において、走査線Ｇ１乃至Ｇｎにそれぞれ走査信号が供給された期間には、これらの走査線Ｇ１乃至Ｇｎに接続された各画素に第２透明電圧（０Ｖ）が印加される。
【００９７】
走査期間ＴＳＲにおいて、走査線Ｇ１乃至Ｇ１０に接続された各画素に透明電圧（０Ｖ〜８Ｖ）が印加され、走査線Ｇ１１乃至Ｇ３０に接続された各画素に散乱電圧または第１透明電圧（８Ｖ）が印加され、走査線Ｇ３１乃至Ｇ４０に接続された各画素に透明電圧（０Ｖ〜８Ｖ）が印加され、走査線Ｇ４１乃至Ｇｎに接続された各画素に第２透明電圧（０Ｖ）が印加される。  
保持期間ＴＨＲにおいて、発光素子ＬＳＲが点灯するため、走査線Ｇ１１乃至Ｇ３０に接続された画素のうち、散乱電圧が印加された画素つまり第１領域Ａ１に位置する画素において赤色光が散乱される。その他の画素つまり第２領域Ａ２に位置する画素では、透明電圧が印加されたため、赤色光はほとんど散乱されない。
【００９８】
走査期間ＴＳＧにおいても、走査期間ＴＳＲと同様に、走査線Ｇ１乃至Ｇ１０に接続された各画素に透明電圧（０Ｖ〜８Ｖ）が印加され、走査線Ｇ１１乃至Ｇ３０に接続された各画素に散乱電圧または第１透明電圧（８Ｖ）が印加され、走査線Ｇ３１乃至Ｇ４０に接続された各画素に透明電圧（０Ｖ〜８Ｖ）が印加され、走査線Ｇ４１乃至Ｇｎに接続された各画素に第２透明電圧（０Ｖ）が印加される。なお、走査線Ｇ３１乃至Ｇ４０に接続された各画素に印加される透明電圧とは、第１透明電圧（８Ｖ）、または、第２透明電圧（０Ｖ）、または、第１透明電圧と第２透明電圧との間の電圧のいずれの電圧であっても良い。  
保持期間ＴＨＧにおいて、発光素子ＬＳＧが点灯するため、走査線Ｇ１１乃至Ｇ３０に接続された画素のうち、散乱電圧が印加された画素において緑色光が散乱され、その他の透明電圧が印加された画素においては緑色光がほとんど散乱されない。
【００９９】
走査期間ＴＳＢにおいては、走査線Ｇ１乃至Ｇ１０に接続された各画素に散乱電圧が印加され、走査線Ｇ１１乃至Ｇ３０に接続された各画素に散乱電圧または第１透明電圧（８Ｖ）が印加され、走査線Ｇ３１乃至Ｇ４０に接続された各画素に散乱電圧が印加され、走査線Ｇ４１乃至Ｇｎに接続された各画素に第２透明電圧（０Ｖ）が印加される。  
保持期間ＴＨＢにおいて、発光素子ＬＳＢが点灯するため、走査線Ｇ１乃至Ｇ４０に接続された画素のうち、散乱電圧が印加された画素つまり第２領域Ａ２に位置する画素において青色光が散乱される。その他の画素つまり第１領域Ａ１に位置する画素では、透明電圧が印加されたため、青色光はほとんど散乱されない。
【０１００】
以上の第１駆動例によれば、第１領域Ａ１は赤色及び緑色を散乱するため、キャラクタは黄色の第１表示色Ｃ１で表示される。また、第２領域Ａ２は青色を散乱するため、キャラクタの周辺領域は青色の第２表示色Ｃ２で表示される。また、走査線Ｇ４１乃至Ｇｎには、１フレーム期間Ｆに亘って第２透明電圧が印加され、保持されるため、対応する非対象領域ＮＯＡは、高い透明度を維持することができる。
【０１０１】
（第１実施形態の第２駆動例）  
図２１Ｂに示す第２駆動例は、第１駆動例と比較して、走査期間ＴＳＲ、ＴＳＧ、ＴＳＢの各々において、第１領域Ａ１及び第２領域Ａ２の画素を駆動する一方で、非対象領域の画素を駆動しない点で相違している。
【０１０２】
より具体的には、第１期間Ｔ１において、走査線Ｇ１乃至Ｇｎに接続された各画素に第２透明電圧（０Ｖ）が印加される。  
走査期間ＴＳＲ及び走査期間ＴＳＧにおいて、走査線Ｇ１乃至Ｇ１０に接続された各画素に透明電圧（０Ｖ〜８Ｖ）が印加され、走査線Ｇ１１乃至Ｇ３０に接続された各画素に散乱電圧または第１透明電圧（８Ｖ）が印加され、走査線Ｇ３１乃至Ｇ４０に接続された各画素に透明電圧（０Ｖ〜８Ｖ）が印加される。なお、走査線Ｇ１乃至Ｇ１０に接続された各画素、及び、走査線Ｇ３１乃至Ｇ４０に接続された各画素に印加される透明電圧とは、第１透明電圧（８Ｖ）、または、第２透明電圧（０Ｖ）、または、第１透明電圧と第２透明電圧との間の電圧のいずれの電圧であっても良い。走査線Ｇ４１乃至Ｇｎに接続された各画素は、第１期間Ｔ１で印加された第２透明電圧（０Ｖ）が保持されている。このため、第１期間Ｔ１以降、走査線Ｇ４１乃至Ｇｎに接続された各画素に対して電圧を印加する動作を省略することができる。  
走査期間ＴＳＢにおいては、走査線Ｇ１乃至Ｇ１０に接続された各画素に散乱電圧が印加され、走査線Ｇ１１乃至Ｇ３０に接続された各画素に散乱電圧または第１透明電圧（８Ｖ）が印加され、走査線Ｇ３１乃至Ｇ４０に接続された各画素に散乱電圧が印加される。走査線Ｇ４１乃至Ｇｎに接続された各画素は、第１期間Ｔ１で印加された第２透明電圧（０Ｖ）が保持されている。
【０１０３】
このような第２駆動例においても第１駆動例と同様の効果が得られる。加えて、一部の画素への電圧印加動作を省略したことにより、表示装置ＤＳＰの駆動電力の低減を図ることができる。
【０１０４】
（第１実施形態の第３駆動例）  
図２１Ｃに示す第３駆動例は、第２駆動例と比較して、走査期間ＴＳＲ及びＴＳＧの各々において、第２領域Ａ２のうちの第１部分Ａ２１及び第３部分Ａ２３の画素を駆動しない点で相違している。
【０１０５】
より具体的には、第１期間Ｔ１において、走査線Ｇ１乃至Ｇｎに接続された各画素に第２透明電圧（０Ｖ）が印加される。  
走査期間ＴＳＲ及び走査期間ＴＳＧにおいて、走査線Ｇ１乃至Ｇ１０に接続された各画素、走査線Ｇ３１乃至Ｇ４０に接続された各画素、及び、走査線Ｇ４１乃至Ｇｎに接続された各画素は、第１期間Ｔ１で印加された第２透明電圧（０Ｖ）が保持されている。このため、第１期間Ｔ１以降、走査線Ｇ１乃至Ｇ１０に接続された各画素、走査線Ｇ３１乃至Ｇ４０に接続された各画素、及び、走査線Ｇ４１乃至Ｇｎに接続された各画素に対して電圧を印加する動作を省略することができる。一方で、走査線Ｇ１１乃至Ｇ３０に接続された各画素には、散乱電圧または第１透明電圧（８Ｖ）が印加される。
【０１０６】
走査期間ＴＳＢにおいては、走査線Ｇ１乃至Ｇ１０に接続された各画素に散乱電圧が印加され、走査線Ｇ１１乃至Ｇ３０に接続された各画素に散乱電圧または第１透明電圧（８Ｖ）が印加され、走査線Ｇ３１乃至Ｇ４０に接続された各画素に散乱電圧が印加される。走査線Ｇ４１乃至Ｇｎに接続された各画素は、第１期間Ｔ１で印加された第２透明電圧（０Ｖ）が保持されている。
【０１０７】
このような第３駆動例においても第１駆動例と同様の効果が得られる。加えて、一部の画素への電圧印加動作をさらに省略したことにより、表示装置ＤＳＰの駆動電力のさらなる低減を図ることができる。
【０１０８】
（第１実施形態の変形例）  
図２２に示す変形例は、図１２に示した例と比較して、対象領域ＯＡが第１領域Ａ１の位置する画素ラインの全域を含んでいない点で相違している。図示した例では、対象領域ＯＡは、表示領域ＤＡのうち、第１方向Ｘに沿って端部Ｅ４に近接する側に位置し、且つ、第２方向Ｙに沿って端部Ｅ１に近接する側に位置している。表示領域ＤＡにおいて、ドットで示した領域は第２領域Ａ２に相当し、第２領域Ａ２で囲まれた文字「Ｂ」は第１領域Ａ１に相当し、これらの第１領域Ａ１及び第２領域Ａ２が対象領域ＯＡに相当する。表示領域ＤＡにおいて、その他の領域は非対象領域ＮＯＡに相当する。
【０１０９】
図２３を参照して、対象領域ＯＡについて、より具体的に説明する。  
対象領域ＯＡは、キャラクタＣＨ１に相当する第１領域Ａ１、及び、第１領域Ａ１を囲む周辺領域に相当する第２領域Ａ２を備えている。第２領域Ａ２は、図中のドットで示した領域全体に相当し、第１部分Ａ２１、第２部分Ａ２２、及び、第３部分Ａ２３を備えている。第１部分Ａ２１、第２部分Ａ２２、及び、第３部分Ａ２３は、この順に第２方向Ｙに並んでいる。第１領域Ａ１及び第２部分Ａ２２は、第１方向Ｘに並んでいる。第１部分Ａ２１は第１領域Ａ１の上段に位置し、第３部分Ａ２３は第１領域Ａ１の下段に位置している。第２部分Ａ２２は、第１部分Ａ２１及び第３部分Ａ２３の間の領域において、第１領域Ａ１以外の領域に相当する。第２部分Ａ２２は、第１方向Ｘに並んだ文字列「ＢＢＢ」の前方に位置する前方領域Ａ２２３と、文字列「ＢＢＢ」の後方に位置する後方領域Ａ２２４とを備えている。  
非対象領域ＮＯＡは、第３領域Ａ３及び第４領域Ａ４を備えている。第３領域Ａ３は第３部分Ａ２３に隣接し、第３領域Ａ３及び第３部分Ａ２３は第２方向Ｙに並んでいる。第４領域Ａ４は、第２領域Ａ２に隣接している。第２領域Ａ２のうち、第１部分Ａ２１、前方領域Ａ２２３、及び、第３部分Ａ２３と、第４領域Ａ４とは、それぞれ第１方向Ｘに並んでいる。
【０１１０】
対象領域ＯＡ及び非対象領域ＮＯＡは、複数の画素ラインによって構成されている。より具体的には、第１部分Ａ２１及び第４領域Ａ４は、画素ラインＰＸＬ１を含む１本以上の画素ラインによって構成される。第１領域Ａ１、第２部分Ａ２２、及び、第４領域Ａ４は、画素ラインＰＸＬ２を含む１本以上の画素ラインによって構成される。第３部分Ａ２３及び第４領域Ａ４は、画素ラインＰＸＬ３を含む１本以上の画素ラインによって構成される。第３領域Ａ３は、画素ラインＰＸＬ４を含む複数本の画素ラインによって構成されている。図１３を参照して説明したように、画素ラインＰＸＬ１乃至ＰＸＬ４は、第１方向Ｘに並んだ複数の画素電極１１あるいは複数の画素ＰＸによって構成されている。
【０１１１】
第１領域Ａ１及び第２部分Ａ２２を構成する第１画素ライン数ｍは、キャラクタＣＨ１のサイズＣＳによって決定される。第１部分Ａ２１を構成する第２画素ライン数ｎ１、及び、第３部分Ａ２３を構成する第３画素ライン数ｎ２は、後述する第３テーブルＴＢ３に基づき、キャラクタＣＨ１のサイズＣＳに応じて必要とされる上段の余白サイズＭＳ１及び下段の余白サイズＭＳ２によって決定される。また、前方領域Ａ２２３を構成する第１画素数ｎ３、及び、後方領域Ａ２２４を構成する第２画素数ｎ４は、後述する第３テーブルＴＢ３に基づき、キャラクタＣＨ１のサイズＣＳに応じて必要とされる前方の余白サイズＭＳ３及び後方の余白サイズＭＳ４によって決定される。
【０１１２】
図２４には、表示パネルＰＮＬのうち説明に必要な部分のみを示している。  
第１領域Ａ１に位置する第１画素ＰＸＣは、第１画素電極１１Ｃ、第１液晶層３０Ｃ、共通電極２１などを含んでいる。第２領域Ａ２に位置する第２画素ＰＸＤは、第２画素電極１１Ｄ、第２液晶層３０Ｄ、共通電極２１などを含んでいる。第３領域Ａ３に位置する第３画素ＰＸＥは、第３画素電極１１Ｅ、第３液晶層３０Ｅ、共通電極２１などを含んでいる。第４領域Ａ４に位置する第４画素ＰＸＦは、第４画素電極１１Ｆ、第４液晶層３０Ｆ、共通電極２１などを含んでいる。  
例えば、第１画素電極１１Ｃ、第２画素電極１１Ｄ、及び、第４画素電極１１Ｆは、同一の画素ライン（図１３に示した画素ラインＰＸＬ２）を構成し、複数本の走査線Ｇのうち同一の１本の走査線Ｇに電気的に接続されている。第３画素電極１１Ｅは、第１画素電極１１Ｃなどとは異なる画素ライン（図１３に示した画素ラインＰＸＬ４）を構成し、複数本の走査線Ｇのうち別の１本の走査線Ｇに電気的に接続されている。
【０１１３】
コントローラＣＮＴは、第１液晶層３０Ｃ及び第２液晶層３０Ｄにそれぞれ散乱電圧を印加し、第３液晶層３０Ｅに第２透明電圧（０Ｖ）を印加し、第４液晶層３０Ｆに第１透明電圧（８Ｖ）を印加する。  
図２３に示した画素ラインＰＸＬ１及びＰＸＬ３を構成する画素のうち、第１部分Ａ２１あるいは第３部分Ａ２３に位置する画素ＰＸは、第２画素ＰＸＤと同様に構成され、第２液晶層３０Ｄと同様に散乱電圧が印加される。また、画素ラインＰＸＬ１及びＰＸＬ３を構成する画素のうち、第４領域Ａ４に位置する画素ＰＸは、第４画素ＰＸＦと同様に構成され、第４液晶層３０Ｆと同様に第１透明電圧が印加される。
【０１１４】
これにより、第１領域Ａ１は、光源ユニットＬＵからの光のうちの一部の色の光を散乱し、キャラクタＣＨ１が第１表示色Ｃ１で表示される。第１部分Ａ２１、第２部分Ａ２２、及び、第３部分Ａ２３を含む第２領域Ａ２は、光源ユニットＬＵからの光のうちの一部の色の光を散乱し、キャラクタＣＨ１の周辺領域は、第２表示色Ｃ２で表示される。一方、第３液晶層３０Ｅは透明である。このため、第３液晶層３０Ｅは、光源ユニットＬＵから照射される光をほとんど散乱させない。また、第４液晶層３０Ｆもほとんど透明であるが、その透明度は第３液晶層３０Ｅより低い。
【０１１５】
このような変形例においても、ユーザに対して、キャラクタＣＨ１を視認させやすくすることができる。
【０１１６】
図２５は、第３テーブルＴＢ３の一例を示す図である。  
この第３テーブルＴＢ３は、図１６に示した第２テーブルＴＢ２と比較して、第１画素ライン数ｍ、第２画素ライン数ｎ１、第３画素ライン数ｎ２に加えて、第１画素数ｎ３及び第２画素数ｎ４を含んでいる。第１画素数ｎ３は、前方領域Ａ２２３の第１方向Ｘの幅に対応する。第２画素数ｎ４は、後方領域Ａ２２４の第１方向Ｘの幅に対応する。ｎ３及びｎ４は、同一の整数でも良いし、異なる整数でも良い。
【０１１７】
なお、上記の本実施形態は、キャラクタＣＨ１として、「Ｂ」などの一連の文字の他に、「ｉ」などの第２方向Ｙに沿って２つの離間した部分からなる文字についても適用可能であり、これらの２つの部分を第１表示色で表示される第１領域とし、これらの２つの部分を取り囲む部分を第２表示色で表示される第２領域とすることができる。  
図２６を参照して、対象領域ＯＡについて、より具体的に説明する。  
対象領域ＯＡは、文字列「ｉｉｉ」のキャラクタＣＨ３に相当する第１領域Ａ１、及び、第１領域Ａ１を囲む周辺領域に相当する第２領域Ａ２を備えている。第１領域Ａ１は、文字「ｉ」のうち、第２方向Ｙに離間した部分Ａ１１及び部分Ａ１２を備えている。第２領域Ａ２は、図中のドットで示した領域全体に相当し、第１部分Ａ２１、第２部分Ａ２２、及び、第３部分Ａ２３を備えている。第２部分Ａ２２は、第２方向Ｙに並んだ部分Ａ２２５乃至Ａ２２７を備えている。部分Ａ１１及び部分Ａ２２５は第１方向Ｘに並び、部分Ａ１２及び部分Ａ２２７は第１方向Ｘに並んでいる。部分Ａ２２６は、部分Ａ１１及びＡ１２の間に位置している。  
部分Ａ１１及び部分Ａ２２５は、画素ラインＰＸＬ２１を含む１本以上の画素ラインによって構成される。部分Ａ２２６は、画素ラインＰＸＬ２２を含む１本以上の画素ラインによって構成される。部分Ａ１２及び部分Ａ２２７は、画素ラインＰＸＬ２３を含む１本以上の画素ラインによって構成される。
【０１１８】
このような対象領域ＯＡについて、画素ラインＰＸＬ２１及びＰＸＬ２３の各画素ＰＸには、散乱電圧または第１透明電圧が印加される。画素ラインＰＸＬ２２については、図２０に示したステップＳＴ２の判定に際して、１画素ライン分の全てのデータが「０」であると判定されるが、第２領域Ａ２の画素ラインであると判定され、当該画素ラインの各画素ＰＸには、散乱電圧または第１透明電圧が印加される。  
したがって、上記したのと同様の効果が得られる。
【０１１９】
［第２実施形態］  
第２実施形態においては、主に第１実施形態との相違点に着目し、第１実施形態と同一の構成については説明を省略する。  
図２７は、本実施形態に係る表示装置ＤＳＰの主要な構成要素を示す図である。  
表示装置ＤＳＰは、コントローラＣＮＴがレベル変換回路（Ｌ／Ｓ回路）ＬＳＣ及びＶｃｏｍ引き込み回路ＬＩＣを備える点で、図３に示した構成と相違する。
【０１２０】
Ｖｃｏｍ回路ＶＣから供給されるコモン電圧（Ｖｃｏｍ）は、共通電極２１に供給されるとともに、Ｖｃｏｍ引き込み回路ＬＩＣにも供給される。Ｖｃｏｍ引き込み回路ＬＩＣは、ソースドライバＳＤと各信号線Ｓとの間に介在している。Ｖｃｏｍ引き込み回路ＬＩＣは、ソースドライバＳＤから出力される映像信号を各信号線Ｓに供給する。また、Ｖｃｏｍ引き込み回路ＬＩＣは、Ｖｃｏｍ回路ＶＣからのコモン電圧を各信号線Ｓに供給することもできる。
【０１２１】
図２８は、Ｖｃｏｍ引き込み回路ＬＩＣの一構成例を示す図である。  
Ｖｃｏｍ引き込み回路ＬＩＣは、スイッチング素子ＳＷ１〜ＳＷｍを備えている。スイッチング素子ＳＷ１〜ＳＷｍは、例えば表示パネルＰＮＬの第１基板ＳＵＢ１に配置されている。スイッチング素子ＳＷ１〜ＳＷｍの入力端（ソース）には配線ＬＮ１が接続され、出力端（ドレイン）には各信号線Ｓ１〜Ｓｍがそれぞれ接続され、制御端（ゲート）には配線ＬＮ２が接続されている。
【０１２２】
図２７に示したＶｃｏｍ回路ＶＣは、配線ＬＮ１にコモン電圧Ｖｃｏｍを供給する。また、タイミングコントローラＴＣは、透明走査を実行する際に、制御信号をレベル変換回路ＬＳＣに出力する。レベル変換回路ＬＳＣは、この制御信号を所定レベルの電圧に変換して配線ＬＮ２に供給する。配線ＬＮ２に制御信号が供給されると、スイッチング素子ＳＷ１〜ＳＷｍが導通状態（オン）となり、配線ＬＮ１と各信号線Ｓ１〜Ｓｍとが導通し、配線ＬＮ１のコモン電圧Ｖｃｏｍが各信号線Ｓ１〜Ｓｍに供給される。なお、スイッチング素子ＳＷ１〜ＳＷｍが導通状態の期間は、ソースドライバＳＤの出力は、タイミングコントローラからの信号によってハイインピーダンスに制御される。
【０１２３】
このようにコモン電圧Ｖｃｏｍが各信号線Ｓ１〜Ｓｍに供給された状態で、各走査線Ｇ１〜Ｇｎに走査信号が供給されると、各画素電極１１に各信号線Ｓ１〜Ｓｍのコモン電圧Ｖｃｏｍが供給される。すなわち、各画素電極１１と共通電極２１との電位差が０Ｖ（第２透明電圧）となる。
【０１２４】
本実施形態の構成であっても、第１実施形態と同様の透明走査を実行することが可能である。透明走査は、第１実施形態と同様のタイミングで実行することができる。本実施形態の構成であれば、ソースドライバＳＤに透明走査のための電圧（例えばコモン電圧Ｖｃｏｍ）を供給するための回路等を設ける必要が無い。
【０１２５】
なお、この発明は、上記各実施形態そのものに限定されるものではなく、その実施の段階ではその要旨を逸脱しない範囲で構成要素を変形して具体化できる。また、各実施形態に開示されている複数の構成要素の適宜な組み合せにより種々の発明を形成できる。例えば、各実施形態に示される全構成要素から幾つかの構成要素を削除してもよい。更に、異なる実施形態に亘る構成要素を適宜組み合せてもよい。
【０１２６】
各実施形態において、赤色、緑色、青色は、それぞれ第１色、第２色、第３色の一例である。発光素子ＬＳＲ、ＬＳＧ、ＬＳＢは、それぞれ第１色の光を放つ第１発光素子、第２色の光を放つ第２発光素子、第３色の光を放つ第３発光素子の一例である。ラインメモリ５２Ｒ、５２Ｇ、５２Ｂが記憶する各サブフレームデータは、第１色の画像を表す第１サブフレームデータ、第２色の画像を表す第２サブフレームデータ、第３色の画像を表す第３サブフレームデータの一例である。第２期間Ｔ２に含まれるサブフレーム期間Ｔ２Ｒ、Ｔ２Ｇ、Ｔ２Ｂは、それぞれ第１サブフレーム期間、第２サブフレーム期間、第３サブフレーム期間の一例である。  
第１色、第２色、第３色は、それぞれ赤色、緑色、青色に限られない。また、光源ユニットＬＵは、２種類以下の色の発光素子ＬＳを備えても良いし、４種類以上の色の発光素子ＬＳを備えても良い。発光素子ＬＳの種類数（色数）に応じて、ラインメモリ、サブフレームデータ、サブフレーム期間の数を増減させれば良い。  
液晶層３０は、ノーマル型ポリマーディスパーズド液晶を利用してもよい。この液晶層３０は、液晶印加電圧がゼロまたは所定の電圧より低い場合に散乱状態となって透明度を減少させることができ、また、液晶印加電圧が所定の電圧より高い場合に透明状態となって表示装置ＤＳＰを介した背景に視認性を向上することができる。
【符号の説明】
【０１２７】
ＤＳＰ…表示装置  
ＰＮＬ…表示パネル
１１…画素電極  ２１…共通電極
３０…液晶層  ３１…液晶性ポリマー  ３２…液晶性分子
ＬＳＲ，ＬＳＧ，ＬＳＢ…発光素子
ＣＮＴ…コントローラ
【図１】
2018120022.tif 000003
【図２】
2018120022.tif 000004
【図３】
2018120022.tif 000005
【図４Ａ】
2018120022.tif 000006
【図４Ｂ】
2018120022.tif 000007
【図５Ａ】
2018120022.tif 000008
【図５Ｂ】
2018120022.tif 000009
【図６】
2018120022.tif 000010
【図７Ａ】
2018120022.tif 000011
【図７Ｂ】
2018120022.tif 000012
【図７Ｃ】
2018120022.tif 000013
【図８】
2018120022.tif 000014
【図９】
2018120022.tif 000015
【図１０】
2018120022.tif 000016
【図１１】
2018120022.tif 000017
【図１２】
2018120022.tif 000018
【図１３】
2018120022.tif 000019
【図１４】
2018120022.tif 000020
【図１５Ａ】
2018120022.tif 000021
【図１５Ｂ】
2018120022.tif 000022
【図１６】
2018120022.tif 000023
【図１７】
2018120022.tif 000024
【図１８】
2018120022.tif 000025
【図１９】
2018120022.tif 000026
【図２０】
2018120022.tif 000027
【図２１Ａ】
2018120022.tif 000028
【図２１Ｂ】
2018120022.tif 000029
【図２１Ｃ】
2018120022.tif 000030
【図２２】
2018120022.tif 000031
【図２３】
2018120022.tif 000032
【図２４】
2018120022.tif 000033
【図２５】
2018120022.tif 000034
【図２６】
2018120022.tif 000035
【図２７】
2018120022.tif 000036
【図２８】
2018120022.tif 000037